(57)【要約】【課題】  担当者が既設の硬貨識別装置の設置場所に出向いて同装置に内蔵されている硬貨識別装置を交換する作業や、既設の硬貨識別装置に手動で追加金種の識別基準情報を追加設定する作業を省略できる、硬貨識別システムにおける追加金種用識別基準情報の設定方法を提供する。【解決手段】  硬貨識別装置の識別基準情報記憶部に識別基準情報が保存されている１又は２以上の現行金種の中からターゲット金種を指定し（Ｓ４）、そのターゲット金種の識別基準情報と、そのターゲット金種の識別基準情報に係るターゲット金種規範情報と、前記追加金種の識別基準情報に係る追加金種規範情報に基づいて、前記追加金種の識別基準情報を算出する（Ｓ６）。算出された前記追加金種の識別基準情報を前記識別基準情報記憶手段に記憶してから（Ｓ７）、前記追加金種の識別基準情報を用いて真贋識別と金種識別を行なうように設定する。【選択図】  図１２
2020161138.tif 000002
【特許請求の範囲】
【請求項１】
複数の硬貨センサが出力する複数のセンサ情報を用いて硬貨の真贋識別と金種識別とを行なう硬貨識別装置において、現行金種の識別基準情報に対して追加金種の識別基準情報を設定する方法であって、
前記現行金種の前記識別基準情報が保存されている前記硬貨識別装置の識別基準情報記憶部に、前記追加金種の前記識別基準情報が保存されているか否かを判定し、
前記追加金種の前記識別基準情報が保存されていない場合に、前記現行金種の中からターゲット金種を指定し、
前記ターゲット金種の識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出し、
算出された前記追加金種の前記識別基準情報を前記識別基準情報記憶手段に記憶し、
前記硬貨識別装置が前記追加金種の前記識別基準情報を用いて真贋識別と金種識別とを行なうように設定することを特徴とする、硬貨識別装置における識別基準情報の設定方法。
【請求項２】
２以上の前記ターゲット金種を指定できるか否かが判断され、
可能である場合には、２以上の前記ターゲット金種に対応する２以上の前記ターゲット金種規範情報の値と、前記追加金種規範情報の値との差が、最小となるように、前記ターゲット金種が指定される請求項１に記載の硬貨識別装置における識別基準情報の設定方法。
【請求項３】
２以上の前記ターゲット金種が指定され、
２以上の前記ターゲット金種の各々に対応する前記ターゲット金種規範情報が、前記追加金種の前記識別基準情報の算出時に使用される請求項１に記載の硬貨識別装置における識別基準情報の設定方法。
【請求項４】
２以上の前記追加金種に係る前記識別基準情報を同時に設定することが必要な場合には、２以上の前記追加金種の各々の前記識別基準情報を算出する際に、２以上の前記ターゲット金種が切り換えながら指定される請求項１〜３のいずれか１項に記載の硬貨識別装置における識別基準情報の設定方法。
【請求項５】
前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される請求項１〜４のいずれか１項に記載の硬貨識別装置における識別基準情報の設定方法。
【請求項６】
前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされる請求項１〜５のいずれか１項に記載の硬貨識別装置における識別基準情報の設定方法。
【請求項７】
予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェアで実現される請求項１〜６のいずれか１項に記載の硬貨識別装置における識別基準情報の設定方法。
【請求項８】
前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる請求項１〜７のいずれか１項に記載の硬貨識別装置における識別基準情報の設定方法。
【請求項９】
前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される請求項１〜８のいずれか１項に記載の硬貨識別装置における識別基準情報の設定方法。
【請求項１０】
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される請求項１〜９のいずれか１項に記載の硬貨識別装置における識別基準情報の設定方法。
【請求項１１】
複数の硬貨センサが出力する複数のセンサ情報を用いて硬貨の真贋識別と金種識別とを行なう硬貨識別装置において、現行金種の識別基準情報に対して追加金種の識別基準情報を設定するシステムであって、
前記現行金種の前記識別基準情報が保存されている前記硬貨識別装置の識別基準情報記憶部に、前記追加金種の前記識別基準情報が保存されているか否かを判定する状態判定手段と、
前記追加金種の前記識別基準情報が保存されていない場合に、前記現行金種の中からターゲット金種を指定するターゲット金種指定手段と、
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する追加金種識別基準情報算出手段と、
算出された前記追加金種の前記識別基準情報を前記識別基準情報記憶手段に記憶すると共に、前記硬貨識別装置が前記追加金種の前記識別基準情報を用いて真贋識別と金種識別とを行なうように設定する追加金種識別基準情報設定手段とを備えていることを特徴とする、硬貨識別装置における識別基準情報の設定システム。
【請求項１２】
前記ターゲット金種指定手段において、２以上の前記ターゲット金種を指定できるか否かが判断され、
指定できる場合には、２以上の前記ターゲット金種に対応する２以上の前記ターゲット金種規範情報の値と、前記追加金種規範情報の値との差が、最小となるように、前記ターゲット金種が指定される請求項１１に記載の硬貨識別装置における識別基準情報の設定システム。
【請求項１３】
２以上の前記ターゲット金種が指定され、
２以上の前記ターゲット金種の各々に対応する前記ターゲット金種規範情報が、前記追加金種の前記識別基準情報の算出時に使用される請求項１１に記載の硬貨識別装置における識別基準情報の設定システム。
【請求項１４】
２以上の前記追加金種に係る前記識別基準情報を同時に設定することが必要な場合には、２以上の前記追加金種の各々の前記識別基準情報を算出する際に、２以上の前記ターゲット金種が切り換えながら指定される請求項１１〜１３のいずれか１項に記載の硬貨識別装置における識別基準情報の設定システム。
【請求項１５】
前記金種識別基準情報算出手段において、前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される請求項１１〜１４のいずれか１項に記載の硬貨識別装置における識別基準情報の設定システム。
【請求項１６】
前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされている請求項１１〜１５のいずれか１項に記載の硬貨識別装置における識別基準情報の設定システム。
【請求項１７】
予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェアで実現されている請求項１１〜１６のいずれか１項に記載の硬貨識別装置における識別基準情報の設定システム。
【請求項１８】
前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる請求項１１〜１７のいずれか１項に記載の硬貨識別装置における識別基準情報の設定システム。
【請求項１９】
前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される請求項１１〜１８のいずれか１項に記載の硬貨識別装置における識別基準情報の設定システム。
【請求項２０】
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される請求項１１〜１９のいずれか１項に記載の硬貨識別装置における識別基準情報の設定システム。
【請求項２１】
複数の硬貨センサが出力する複数のセンサ情報を用いて硬貨の真贋識別と金種識別とを行なう硬貨識別装置において、現行金種の識別基準情報に対して追加金種の識別基準情報を設定するプログラムであって、
前記現行金種の前記識別基準情報が保存されている前記硬貨識別装置の識別基準情報記憶部に、前記追加金種の前記識別基準情報が保存されているか否かを判定する機能と、
前記追加金種の前記識別基準情報が保存されていない場合に、前記現行金種の中からターゲット金種を指定する機能と、
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する機能と、
算出された前記追加金種の前記識別基準情報を前記識別基準情報記憶手段に記憶すると共に、前記硬貨識別装置が前記追加金種の前記識別基準情報を用いて真贋識別と金種識別とを行なうように設定する機能とを
コンピュータに実現させることを特徴とする、硬貨識別装置における識別基準情報の設定プログラム。
【請求項２２】
２以上の前記ターゲット金種を指定できるか否かが判断され、
指定できる場合には、２以上の前記ターゲット金種に対応する２以上の前記ターゲット金種規範情報の値と、前記追加金種規範情報の値との差が、最小となるように、前記ターゲット金種が指定される請求項２１に記載の硬貨識別装置における識別基準情報の設定プログラム。
【請求項２３】
２以上の前記ターゲット金種が指定され、
２以上の前記ターゲット金種の各々に対応する前記ターゲット金種規範情報が、前記追加金種の前記識別基準情報の算出時に使用される請求項２１に記載の硬貨識別装置における識別基準情報の設定プログラム。
【請求項２４】
２以上の前記追加金種に係る前記識別基準情報を同時に設定することが必要な場合には、２以上の前記追加金種の各々の前記識別基準情報を算出する際に、２以上の前記ターゲット金種が切り換えながら指定される請求項２１〜２３のいずれか１項に記載の硬貨識別装置における識別基準情報の設定プログラム。
【請求項２５】
前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される請求項２１〜２４のいずれか１項に記載の硬貨識別装置における識別基準情報の設定プログラム。
【請求項２６】
前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされる請求項２１〜２５のいずれか１項に記載の硬貨識別装置における識別基準情報の設定プログラム。
【請求項２７】
予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェアで実現されている請求項２１〜２６のいずれか１項に記載の硬貨識別装置における識別基準情報の設定プログラム。
【請求項２８】
前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる請求項２１〜２７のいずれか１項に記載の硬貨識別装置における識別基準情報の設定プログラム。
【請求項２９】
前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される請求項２１〜２８のいずれか１項に記載の硬貨識別装置における識別基準情報の設定プログラム。
【請求項３０】
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される請求項２１〜２９のいずれか１項に記載の硬貨識別装置における識別基準情報の設定プログラム。
【発明の詳細な説明】
【技術分野】
【０００１】
本発明は、硬貨識別装置における識別基準情報の設定方法、設定システム及び設定プログラムに関し、さらに言えば、既設の硬貨識別装置において金種識別用及び真贋識別用として設定されている現行金種の識別基準情報に、追加金種の識別基準情報を追加設定する際に、担当者が設置場所に出向いて既設の硬貨識別装置を交換する作業や、当該硬貨識別装置に手動で追加金種の識別基準情報を追加設定する作業（ティーチング）を省略することができる、硬貨識別装置における識別基準情報の設定方法と、設定システム及び設定プログラムに関する。
【０００２】
なお、本明細書で使用する「硬貨」は、通貨としての硬貨だけでなく、トークン及びメダル等を含む広い意味を持ち、通貨としての硬貨以外の任意の硬貨相当物を含んでいると共に、その形状も円形に限定されず、多角形をも含んでいる。
【背景技術】
【０００３】
従来から、硬貨の入出金処理を自動的に行う硬貨入出金装置が知られている（例えば特許文献１参照）。この種の硬貨入出金装置は、通常、硬貨投入口に投入された複数枚の硬貨を、硬貨分離送出部で一枚ずつに分離し、硬貨判別部で硬貨の金種及び真贋を識別した後、硬貨搬送部で一枚ずつ搬送すると共に金種毎に振り分けて硬貨保留部に保留し、さらに、所定の払出信号（つり銭の払出信号など）に基づいて指示された金種及び枚数の硬貨を、硬貨保留部から取り出して硬貨払出口に払い出すように構成されている。
【０００４】
上述した硬貨入出金装置の硬貨識別部では、投入された硬貨の金種の識別と共に、それら硬貨の真贋の識別も行っており、その識別には複数の硬貨センサを備えた硬貨識別装置が使用されている（例えば特許文献２参照）。硬貨識別装置では、個々の硬貨について金種と真贋を高精度で識別するようになっているが、その設置後（使用開始後）に既存の識別対象金種を増加させたい場合、すなわち、新たに発行された金種や既存金種で、新たに識別対象に追加したい金種（以下、追加金種という）の硬貨をも識別できるように既存の識別可能な金種の範囲を拡張したい場合がある。この場合、硬貨識別装置に組み込んである制御プログラム、つまり硬貨識別プログラム（以下、ファームウェアともいう）を新規なものに更新する必要がある。
【０００５】
上述したファームウェア（硬貨識別プログラム）の更新作業を行うため、従来は、担当のサービスエンジニアが硬貨入出金装置の設置場所まで出張し、同装置に内蔵されている硬貨識別装置を新ファームウェアがインストールされた新硬貨識別装置に交換するか、担当者が手動で内蔵されている硬貨識別装置のファームウェアを更新（上書きインストール）し、さらにティーチング（教示）作業まで行っている。硬貨識別装置自体の交換は費用が高価になるため、通常はファームウェアの手動更新及びティーチングが選択されるが、そのファームウェアの手動更新及びティーチングの作業は、例えば、次のようにして行われる。
【０００６】
すなわち、担当のサービスエンジニアは、まず、新ファームウェアとパーソナルコンピュータ（以下、ＰＣともいう）、更新用アプリケーション、所定枚数（通常は１金種につき３０枚）の追加金種の硬貨を準備し、その後、これらを持参して既設の硬貨入出金装置の設置場所まで出向く。そして、当該硬貨入出金装置と持参してきた自己のＰＣを接続して両者間で通信可能としてから、そのＰＣにインストールされている更新用アプリケーションを操作し、当該硬貨入出金装置内の硬貨識別装置に組み込まれている不揮発性記憶装置にインストールされている現行ファームウェアを、持参してきた新ファームウェアで更新する。その後、当該ＰＣ上の更新用アプリケーションを操作して、当該硬貨入出金装置の動作モードを通常モードから教示（ティーチング）モードに遷移させる。そこで、持参してきた所定枚数の追加金種の硬貨を順に当該硬貨入出金装置に投入して、当該硬貨識別装置に内蔵された複数の硬貨センサから出力される信号（識別基準情報）を読み取らせる。そして、読み取った出力信号から生成される波形信号から所定の判定基準値に相当する電圧値（以下、固有値ともいう）を取得させ、それら固有値を当該硬貨識別装置に内蔵された不揮発性記憶装置に保存するのである。
【０００７】
上述した追加金種の硬貨の投入から新しい識別基準用情報としての前記固有値の取得・保存までのプロセスは、持参した追加金種の硬貨の総数（通常は１金種につき３０枚）について繰り返される。最後に、追加金種毎に取得した所定個数の固有値の平均値を算出し、これを追加金種用の識別基準情報として前記不揮発性記憶装置に保存する。これでようやく新しい判定基準の設定が完了する。追加金種が複数個ある場合は、上記のプロセスがその個数に相当する回数だけ繰り返される。その後、サービスエンジニアは、再び更新用アプリケーションを操作して当該硬貨入出金装置の動作モードを教示モードから通常モードに遷移させる。すると、当該硬貨入出金装置は以後、従前の判定基準に加えて新判定基準を使用しながら通常の硬貨識別動作を実行する。このようにして、ようやく、既設の硬貨入出金装置の識別対象金種を拡張することが可能となるのである。
【０００８】
上述したように、上記ファームウェア更新作業とティーチング作業は、面倒であるだけでなく、サービスコストを上昇させる要因となる、という問題がある。上記ファームウェア更新作業とティーチング作業を硬貨入出金装置のユーザー側で実施してもらうことは可能であるが、作業が非常に面倒であるため、硬貨入出金装置に対する不満につながる傾向が大である。また、既設の硬貨入出金装置に対して何らかの上記ファームウェア更新作業を行えない事情がある場合には、特に問題が大きくなる。このため、何らかの方法で、上記ファームウェア更新作業とティーチング作業を簡略化且つ省力化することが望まれる。
【０００９】
上記要請に応えるために使用できる関連技術としては、例えば特許文献３に開示された「貨幣検査機の較正方法」がある。この方法では、較正に使用する測定値を得るために、既知の較正クラスに属する物品（例えば硬貨）を、任意の順序で貨幣受領機に供給する。較正用の硬貨は、好ましくは別の測定値を正規化係数として使用して複数の測定値を正規化し、正規化した測定値を用いてマハラノビス距離を計算することによって分類する。また、完全性チェックにより信頼性がないことが示唆される場合は、測定値を較正に使用しない。この方法では、貨幣受領機の較正を従来技術よりも迅速かつ容易に行うことができる、とされている。
【先行技術文献】
【特許文献】
【００１０】
【特許文献１】特開２０１５−０９７００１号公報
【特許文献２】特開２０１６−１１５１７２号公報
【特許文献３】特許第４２２６３１５号公報
【発明の概要】
【発明が解決しようとする課題】
【００１１】
しかし、上述した特許文献３に開示された貨幣検査機の較正方法は、貨幣検査機の検査性能（硬貨識別性能）のバラツキを抑制するための「較正」に使用されるものであり、また、既存の識別基準情報への新識別基準情報の追加に係わるものでもない。したがって、この較正方法を上述したファームウェア更新作業に適用するのは容易でない。
【００１２】
本発明は、上述したような状況を考慮しながら上記要請に応えるべくなされたものであって、その目的とするところは、担当者が既設の硬貨識別装置の設置場所に出向いて同装置に内蔵されている硬貨識別装置を交換する作業や、既設の硬貨識別装置に手動で識別基準情報を追加設定する作業をすることなしに、既設の硬貨識別装置に追加金種の識別基準情報を追加設定することができる、硬貨識別装置における識別基準情報の設定方法と、設定システム及び設定プログラムを提供することにある。
【００１３】
本発明の他の目的は、既設の硬貨識別装置に組み込んである制御プログラム（ファームウェア）を更新する作業を行うだけで、追加金種の識別基準情報を追加設定することが可能である、硬貨識別装置における識別基準情報の設定方法と、設定システム及び設定プログラムを提供することにある。
【００１４】
本発明のさらに他の目的は、既設の硬貨識別装置が持つ硬貨識別性能の個体差に起因する識別誤差を減少させることができる、硬貨識別装置における識別基準情報の設定方法と、設定システム及び設定プログラムを提供することにある。
【００１５】
本発明のさらに他の目的は、既設の硬貨識別装置に組み込んである制御プログラム（ファームウェア）を更新する作業を実行するために必要な記憶容量を、当該硬貨識別装置が持つ揮発性記憶装置が有していない（記憶容量が不足している）場合でも、制御プログラム（ファームウェア）を更新する作業を実行可能である、硬貨識別装置における識別基準情報の設定方法と、設定システム及び設定プログラムを提供することにある。
【００１６】
ここに明記しない本発明のさらに他の目的は、以下の説明及び添付図面から明らかになる。
【課題を解決するための手段】
【００１７】
（１）  本発明の第１の観点によれば、硬貨識別装置における識別基準情報の設定方法が提供される。この方法は、
複数の硬貨センサが出力する複数のセンサ情報を用いて硬貨の真贋識別と金種識別とを行なう硬貨識別装置において、現行金種の識別基準情報に対して追加金種の識別基準情報を設定する方法であって、
前記現行金種の前記識別基準情報が保存されている前記硬貨識別装置の識別基準情報記憶部に、前記追加金種の前記識別基準情報が保存されているか否かを判定し、
前記追加金種の前記識別基準情報が保存されていない場合に、前記現行金種の中からターゲット金種を指定し、
前記ターゲット金種の識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出し、
算出された前記追加金種の前記識別基準情報を前記識別基準情報記憶手段に記憶し、
前記硬貨識別装置が前記追加金種の前記識別基準情報を用いて真贋識別と金種識別とを行なうように設定することを特徴とするものである。
【００１８】
本発明の第１の観点による硬貨識別装置における識別基準情報の設定方法では、前記現行金種の中から指定した前記ターゲット金種の前記識別基準情報と、前記ターゲット金種の前記識別基準情報に係る前記ターゲット金種規範情報と、前記追加金種の前記識別基準情報に係る前記追加金種規範情報とに基づいて、前記追加金種の前記識別基準情報を算出するようにしている。ここで、前記ターゲット金種規範情報と前記追加金種規範情報は、前記硬貨識別装置において前記現行金種及び前記追加金種についての前記識別基準情報を設定する際に、それら識別基準情報の「規範（拠るべき規準）」となる情報を設定するための装置（前記硬貨識別装置の標準機）において、該当する金種の硬貨の真贋識別及び金種識別を実行することで、入手することができる。そして、「前記標準機における前記ターゲット金種規範情報と前記追加金種規範情報の関係は、前記標準機以外の実地使用されている同型の硬貨識別装置においても維持されているはず」という類推が成り立つことを考慮すると、前記ターゲット金種規範情報及び前記追加金種規範情報の関係が分かれば、前記ターゲット金種の前記識別基準情報を用いて、前記追加金種の前記識別基準情報を算出することが可能である。なお、前記ターゲット金種を指定する際には、前記現行金種の中からより好適な前記追加金種の前記識別基準情報が得られるものを選択するのが好ましい。
【００１９】
以上述べたように、前記ターゲット金種の前記識別基準情報と、前記ターゲット金種規範情報及び前記追加金種規範情報の関係とを用いて演算することで、前記追加金種の前記識別基準情報を算出すると共に、前記追加金種を前記硬貨識別装置に追加設定することができるため、担当者が既設の硬貨識別装置の設置場所に出向いて同装置に内蔵されている硬貨識別装置を交換する作業や、既設の硬貨識別装置に手動で追加金種の識別基準情報を追加設定する作業をすることなしに、既設の硬貨識別装置に追加金種の識別基準情報を追加設定することができる。換言すれば、既設の硬貨識別装置に組み込んである制御プログラム（ファームウェア）を更新する作業を行うだけで、追加金種の識別基準情報を追加設定することが可能となるのである。
【００２０】
さらに、前記現行金種の中から前記ターゲット金種を適切に選択して指定することにより、容易に、既設の硬貨識別装置が持つ硬貨識別性能の個体差に起因する識別誤差を減少させることができる。
【００２１】
（２）  本発明の第１の観点による硬貨識別装置における識別基準情報の設定方法の好ましい例では、２以上の前記ターゲット金種を指定できるか否かが判断され、
指定できる場合には、２以上の前記ターゲット金種に対応する２以上の前記ターゲット金種規範情報の値と、前記追加金種規範情報の値との差が、最小となるように、前記ターゲット金種が指定される。
【００２２】
この例では、前記ターゲット金種規範情報の値と前記追加金種規範情報の値が大きな差を有することに起因して、前記追加金種の前記識別基準情報が前記ターゲット金種の前記識別基準情報から乖離してしまう（両者の誤差が大きくなってしまう）のを避けることができるため、前記硬貨識別装置が持つ硬貨識別性能の個体差に起因する前記追加金種の硬貨識別誤差を減少させることができる、という利点がある。
【００２３】
（３）  本発明の第１の観点による硬貨識別装置における識別基準情報の設定方法の他の好ましい例では、２以上の前記ターゲット金種が指定され、
２以上の前記ターゲット金種の各々に対応する前記ターゲット金種規範情報が、前記追加金種の前記識別基準情報の算出時に使用される。
【００２４】
この例では、２以上の前記ターゲット金種の前記識別基準情報が前記追加金種の前記識別基準情報に包含されるため、単一の前記ターゲット金種の前記識別基準情報だけが包含される場合に比べて、前記硬貨識別装置が持つ硬貨識別性能の個体差に起因する前記追加金種の硬貨識別誤差を減少させることができる、という利点がある。
【００２５】
（４）  本発明の第１の観点による硬貨識別装置における識別基準情報の設定方法のさらに他の好ましい例では、２以上の前記追加金種に係る前記識別基準情報を同時に設定することが必要な場合には、２以上の前記追加金種の各々の前記識別基準情報を算出する際に、２以上の前記ターゲット金種が切り換えながら指定される。
【００２６】
この例では、２以上の前記追加金種に係る前記識別基準情報の同時設定という要請に対応することができる、という利点がある。
【００２７】
（５）  本発明の第１の観点による硬貨識別装置における識別基準情報の設定方法のさらに他の好ましい例では、前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される。
【００２８】
この例では、前記追加金種の前記識別基準情報を得るための演算がシンプルになる、という利点がある。
【００２９】
（６）  本発明の第１の観点による硬貨識別装置における識別基準情報の設定方法のさらに他の好ましい例では、前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされる。
【００３０】
この例では、前記ターゲット金種規範情報と前記追加金種規範情報が、信頼に足りるものになると共に、それらの取得も容易になる、という利点がある。
【００３１】
（７）  本発明の第１の観点による硬貨識別装置における識別基準情報の設定方法のさらに他の好ましい例では、予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェア（例えば識別基準情報の設定システム１００）で実現される。
【００３２】
この例では、前記硬貨識別装置に組み込んである制御プログラム（ファームウェア）を更新する作業を実行するために必要な記憶容量を、前記硬貨識別装置の記憶部が有していない（記憶容量が不足している）場合でも、制御プログラム（ファームウェア）を更新する作業を実行可能である、という利点がある。
【００３３】
（８）  本発明の第１の観点による硬貨識別装置における識別基準情報の設定方法のさらに他の好ましい例では、前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる。
【００３４】
（９）  本発明の第１の観点による硬貨識別装置における識別基準情報の設定方法のさらに他の好ましい例では、前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される。
【００３５】
この例では、前記ターゲット金種として、前記現行金種の中から前記追加金種に最も近い直径を持つものが指定されるので、前記ターゲット金種規範情報と前記追加金種規範情報との誤差を確実に小さくすることができ、したがって、前記硬貨識別装置が持つ硬貨識別性能の個体差に起因する識別誤差を確実に減少させることができる、という利点がある。
【００３６】
（１０）  本発明の第１の観点による硬貨識別装置における識別基準情報の設定方法のさらに他の好ましい例では、前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される。
【００３７】
この例では、前記硬貨識別装置の個体差に起因するバラツキの影響を確実に緩和することができる、という利点がある。
【００３８】
（１１）本発明の第２の観点によれば、硬貨識別装置における識別基準情報の設定システムが提供される。このシステムは、
複数の硬貨センサが出力する複数のセンサ情報を用いて硬貨の真贋識別と金種識別とを行なう硬貨識別装置において、現行金種の識別基準情報に対して追加金種の識別基準情報を設定するシステムであって、
前記現行金種の前記識別基準情報が保存されている前記硬貨識別装置の識別基準情報記憶部に、前記追加金種の前記識別基準情報が保存されているか否かを判定する状態判定手段（例えば状態判定部１０１）と、
前記追加金種の前記識別基準情報が保存されていない場合に、前記現行金種の中からターゲット金種を指定するターゲット金種指定手段（例えばターゲット金種指定部１０２）と、
前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する追加金種識別基準情報算出手段（例えば追加金種識別基準情報算出部１０３）と、
算出された前記追加金種の前記識別基準情報を前記識別基準情報記憶手段に記憶すると共に、前記硬貨識別装置が前記追加金種の前記識別基準情報を用いて真贋識別と金種識別とを行なうように設定する追加金種識別基準情報設定手段（例えば追加金種識別基準情報設定部１０４）とを備えていることを特徴とするものである。
【００３９】
本発明の第２の観点による硬貨識別装置における識別基準情報の設定システムでは、前記現行金種の中から指定した前記ターゲット金種の前記識別基準情報と、前記ターゲット金種の前記識別基準情報に係る前記ターゲット金種規範情報と、前記追加金種の前記識別基準情報に係る前記追加金種規範情報とに基づいて、前記追加金種の前記識別基準情報を算出するようにしている。ここで、前記ターゲット金種規範情報と前記追加金種規範情報は、前記硬貨識別装置において前記現行金種及び前記追加金種についての前記識別基準情報を設定する際に、それら識別基準情報の「規範（拠るべき規準）」となる情報を設定するための装置（前記硬貨識別装置の標準機）において、該当する金種の硬貨の真贋識別及び金種識別を実行することで、入手することができる。そして、「前記標準機における前記ターゲット金種規範情報と前記追加金種規範情報の関係は、前記標準機以外の実地使用されている同型の硬貨識別装置においても維持されているはず」という類推が成り立つことを考慮すると、前記ターゲット金種規範情報及び前記追加金種規範情報の関係が分かれば、前記ターゲット金種の前記識別基準情報を用いて、前記追加金種の前記識別基準情報を算出することが可能である。なお、前記ターゲット金種を指定する際には、前記現行金種の中からより好適な前記追加金種の前記識別基準情報が得られるものを選択するのが好ましい。
【００４０】
以上述べたように、前記ターゲット金種の前記識別基準情報と、前記ターゲット金種規範情報及び前記追加金種規範情報の関係とを用いて演算することで、前記追加金種の前記識別基準情報を算出すると共に、前記追加金種を前記硬貨識別装置に追加設定することができるため、担当者が既設の硬貨識別装置の設置場所に出向いて同装置に内蔵されている硬貨識別装置を交換する作業や、既設の硬貨識別装置に手動で追加金種の識別基準情報を追加設定する作業をすることなしに、既設の硬貨識別装置に追加金種の識別基準情報を追加設定することができる。換言すれば、既設の硬貨識別装置に組み込んである制御プログラム（ファームウェア）を更新する作業を行うだけで、追加金種の識別基準情報を追加設定することが可能となるのである。
【００４１】
さらに、前記現行金種の中から前記ターゲット金種を適切に選択して指定することにより、容易に、既設の硬貨識別装置が持つ硬貨識別性能の個体差に起因する識別誤差を減少させることができる。
【００４２】
（１２）  本発明の第２の観点による硬貨識別装置における識別基準情報の設定システムの好ましい例では、前記ターゲット金種指定手段において、２以上の前記ターゲット金種を指定できるか否かが判断され、
指定できる場合には、２以上の前記ターゲット金種に対応する２以上の前記ターゲット金種規範情報の値と、前記追加金種規範情報の値との差が、最小となるように、前記ターゲット金種が指定される。
【００４３】
この例では、前記ターゲット金種規範情報の値と前記追加金種規範情報の値が大きな差を有することに起因して、前記追加金種の前記識別基準情報が前記ターゲット金種の前記識別基準情報から乖離してしまう（両者の誤差が大きくなってしまう）のを避けることができるため、前記硬貨識別装置が持つ硬貨識別性能の個体差に起因する前記追加金種の硬貨識別誤差を減少させることができる、という利点がある。
【００４４】
（１３）  本発明の第２の観点による硬貨識別装置における識別基準情報の設定システムの他の好ましい例では、２以上の前記ターゲット金種が指定され、
２以上の前記ターゲット金種の各々に対応する前記ターゲット金種規範情報が、前記追加金種の前記識別基準情報の算出時に使用される。
【００４５】
この例では、２以上の前記ターゲット金種の前記識別基準情報が前記追加金種の前記識別基準情報に包含されるため、単一の前記ターゲット金種の前記識別基準情報だけが包含される場合に比べて、前記硬貨識別装置が持つ硬貨識別性能の個体差に起因する前記追加金種の硬貨識別誤差を減少させることができる、という利点がある。
【００４６】
（１４）  本発明の第２の観点による硬貨識別装置における識別基準情報の設定システムのさらに他の好ましい例では、２以上の前記追加金種に係る前記識別基準情報を同時に設定することが必要な場合には、２以上の前記追加金種の各々の前記識別基準情報を算出する際に、２以上の前記ターゲット金種が切り換えながら指定される。
【００４７】
この例では、２以上の前記追加金種に係る前記識別基準情報の同時設定という要請に対応することができる、という利点がある。
【００４８】
（１５）  本発明の第２の観点による硬貨識別装置における識別基準情報の設定システムのさらに他の好ましい例では、前記金種識別基準情報算出手段において、前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される。
【００４９】
この例では、前記追加金種の前記識別基準情報を得るための演算がシンプルになる、という利点がある。
【００５０】
（１６）  本発明の第２の観点による硬貨識別装置における識別基準情報の設定システムのさらに他の好ましい例では、前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされる。
【００５１】
この例では、前記ターゲット金種規範情報と前記追加金種規範情報が、信頼に足りるものになると共に、それらの取得も容易になる、という利点がある。
【００５２】
（１７）  本発明の第２の観点による硬貨識別装置における識別基準情報の設定システムのさらに他の好ましい例では、予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェア（例えば識別基準情報の設定システム１００）で実現される。
【００５３】
この例では、前記硬貨識別装置に組み込んである制御プログラム（ファームウェア）を更新する作業を実行するために必要な記憶容量を、前記硬貨識別装置の記憶部が有していない（記憶容量が不足している）場合でも、制御プログラム（ファームウェア）を更新する作業を実行可能である、という利点がある。
【００５４】
（１８）  本発明の第２の観点による硬貨識別装置における識別基準情報の設定システムのさらに他の好ましい例では、前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる。
【００５５】
（１９）  本発明の第２の観点による硬貨識別装置における識別基準情報の設定システムのさらに他の好ましい例では、前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される。
【００５６】
この例では、前記ターゲット金種として、前記現行金種の中から前記追加金種に最も近い直径を持つものが指定されるので、前記ターゲット金種規範情報と前記追加金種規範情報との誤差を確実に小さくすることができ、したがって、前記硬貨識別装置が持つ硬貨識別性能の個体差に起因する識別誤差を確実に減少させることができる、という利点がある。
【００５７】
（２０）  本発明の第２の観点による硬貨識別装置における識別基準情報の設定システムのさらに他の好ましい例では、前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される。
【００５８】
この例では、前記硬貨識別装置の個体差に起因するバラツキの影響を確実に緩和することができる、という利点がある。
【００５９】
（２１）  本発明の第３の観点によれば、硬貨識別装置における識別基準情報の設定プログラムが提供される。このプログラムは、
【００６０】
本発明の第３の観点による硬貨識別装置における識別基準情報の設定プログラムでは、本発明の第１の観点による硬貨識別装置における識別基準情報の設定方法において上述したのと同様の理由により、担当者が既設の硬貨識別装置の設置場所に出向いて同装置に内蔵されている硬貨識別装置を交換する作業や、既設の硬貨識別装置に手動で追加金種の識別基準情報を追加設定する作業をすることなしに、既設の硬貨識別装置に追加金種の識別基準情報を追加設定することができる。換言すれば、既設の硬貨識別装置に組み込んである制御プログラム（ファームウェア）を更新する作業を行うだけで、追加金種の識別基準情報を追加設定することが可能となるのである。
【００６１】
さらに、前記現行金種の中から前記ターゲット金種を適切に選択して指定することにより、容易に、既設の硬貨識別装置が持つ硬貨識別性能の個体差に起因する識別誤差を減少させることができる。
【００６２】
（２２）  本発明の第３の観点による硬貨識別装置における識別基準情報の設定プログラムの好ましい例では、２以上の前記ターゲット金種を指定できるか否かが判断され、
指定できる場合には、２以上の前記ターゲット金種に対応する２以上の前記ターゲット金種規範情報の値と、前記追加金種規範情報の値との差が、最小となるように、前記ターゲット金種が指定される。
【００６３】
この例では、前記ターゲット金種規範情報の値と前記追加金種規範情報の値が大きな差を有することに起因して、前記追加金種の前記識別基準情報が前記ターゲット金種の前記識別基準情報から乖離してしまう（両者の誤差が大きくなってしまう）のを避けることができるため、前記硬貨識別装置が持つ硬貨識別性能の個体差に起因する前記追加金種の硬貨識別誤差を減少させることができる、という利点がある。
【００６４】
（２３）  本発明の第３の観点による硬貨識別装置における識別基準情報の設定プログラムの他の好ましい例では、２以上の前記ターゲット金種が指定され、
２以上の前記ターゲット金種の各々に対応する前記ターゲット金種規範情報が、前記追加金種の前記識別基準情報の算出時に使用される。
【００６５】
この例では、２以上の前記ターゲット金種の前記識別基準情報が前記追加金種の前記識別基準情報に包含されるため、単一の前記ターゲット金種の前記識別基準情報だけが包含される場合に比べて、前記硬貨識別装置が持つ硬貨識別性能の個体差に起因する前記追加金種の硬貨識別誤差を減少させることができる、という利点がある。
【００６６】
（２４）  本発明の第３の観点による硬貨識別装置における識別基準情報の設定プログラムのさらに他の好ましい例では、２以上の前記追加金種に係る前記識別基準情報を同時に設定することが必要な場合には、２以上の前記追加金種の各々の前記識別基準情報を算出する際に、２以上の前記ターゲット金種が切り換えながら指定される。
【００６７】
この例では、２以上の前記追加金種に係る前記識別基準情報の同時設定という要請に対応することができる、という利点がある。
【００６８】
（２５）  本発明の第３の観点による硬貨識別装置における識別基準情報の設定プログラムのさらに他の好ましい例では、前記ターゲット金種の前記識別基準情報に係るターゲット金種規範情報と、前記追加金種の前記識別基準情報に係る追加金種規範情報との比が算出され、
前記追加金種の前記識別基準情報が、前記比を用いて算出される。
【００６９】
この例では、前記追加金種の前記識別基準情報を得るための演算がシンプルになる、という利点がある。
【００７０】
（２６）  本発明の第３の観点による硬貨識別装置における識別基準情報の設定プログラムのさらに他の好ましい例では、前記ターゲット金種規範情報が、前記硬貨識別装置の標準機において前記ターゲット金種の硬貨識別を実行することで得られたものとされ、
前記追加金種規範情報が、前記標準機において前記追加金種の硬貨識別を実行することで得られたものとされる。
【００７１】
この例では、前記ターゲット金種規範情報と前記追加金種規範情報が、信頼に足りるものになると共に、それらの取得も容易になる、という利点がある。
【００７２】
（２７）  本発明の第３の観点による硬貨識別装置における識別基準情報の設定プログラムのさらに他の好ましい例では、予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェア（例えば識別基準情報の設定システム１００）で実現される。
【００７３】
この例では、前記硬貨識別装置に組み込んである制御プログラム（ファームウェア）を更新する作業を実行するために必要な記憶容量を、前記硬貨識別装置の記憶部が有していない（記憶容量が不足している）場合でも、制御プログラム（ファームウェア）を更新する作業を実行可能である、という利点がある。
【００７４】
（２８）  本発明の第３の観点による硬貨識別装置における識別基準情報の設定プログラムのさらに他の好ましい例では、前記ターゲット金種の前記識別基準情報と前記追加金種の前記識別基準情報が、それぞれ、前記複数のセンサ情報を与える波形の振幅によって与えられ、
前記ターゲット金種規範情報と前記追加金種規範情報が、それぞれ、前記複数のセンサ情報を与える波形の振幅によって与えられ、
前記ターゲット金種の前記識別基準情報を与える前記振幅と、前記追加金種の前記識別基準情報を与える前記振幅との関係が、前記ターゲット金種規範情報と前記追加金種規範情報の関係によって与えられる。
【００７５】
（２９）  本発明の第３の観点による硬貨識別装置における識別基準情報の設定プログラムのさらに他の好ましい例では、前記追加金種の前記識別基準情報が、硬貨の材質に関する要素と、前記硬貨の厚みに関する要素と、前記硬貨の直径に関する要素とを含んでおり、
前記硬貨の直径に関する要素を算出する際には、前記ターゲット金種として、前記１又は２以上の現行金種の中から前記追加金種に最も近い直径を持つものが指定される。
【００７６】
この例では、前記ターゲット金種として、前記現行金種の中から前記追加金種に最も近い直径を持つものが指定されるので、前記ターゲット金種規範情報と前記追加金種規範情報との誤差を確実に小さくすることができ、したがって、前記硬貨識別装置が持つ硬貨識別性能の個体差に起因する識別誤差を確実に減少させることができる、という利点がある。
【００７７】
（３０）  本発明の第３の観点による硬貨識別装置における識別基準情報の設定プログラムのさらに他の好ましい例では、前記ターゲット金種の前記識別基準情報と、前記ターゲット金種の前記識別基準情報に係るターゲット金種規範情報と、前記追加金種の前記識別基準情報に係る追加金種規範情報とに基づいて、前記追加金種の前記識別基準情報を算出する際に、所定のパラメータ情報を使用する２以上の算出法が選択的に使用可能となっており、
前記硬貨識別装置の個体差に起因するバラツキの影響が減少するように、前記２以上の算出法のいずれか１つが選択されて使用される。
【００７８】
この例では、前記硬貨識別装置の個体差に起因するバラツキの影響を確実に緩和することができる、という利点がある。
【発明の効果】
【００７９】
本発明の第１の観点による硬貨識別装置における追加金種用識別基準情報の設定方法、本発明の第２の観点によるその設定システム、及び本発明の第３の観点によるその設定プログラムでは、（ａ）担当者が既設の硬貨識別装置の設置場所に出向いて同装置に内蔵されている硬貨識別装置を交換する作業や、既設の硬貨識別装置に手動で新識別基準情報を追加設定する作業をすることなしに、既設の硬貨識別装置に追加金種用の新識別基準情報を追加設定することができる、（ｂ）既設の硬貨識別装置に組み込んである制御プログラム（ファームウェア）を更新する作業を行うだけで、追加金種の識別基準情報を追加設定することが可能である、（ｃ）既設の硬貨識別装置が持つ硬貨識別性能の個体差に起因する識別誤差を減少させることができる、という効果がある。
【００８０】
また、予め指定された前記ターゲット金種を用いて、前記ターゲット金種規範情報及び前記追加金種規範情報を前記硬貨識別装置に記憶させる機能と、前記ターゲット金種の前記識別基準情報と前記ターゲット金種規範情報及び前記追加金種規範情報とに基づいて、前記追加金種の前記識別基準情報を算出して前記識別基準情報記憶手段に記憶する機能と、前記硬貨識別装置が前記追加金種の前記識別基準情報を用いて真贋識別と金種識別とを行なうように設定する機能とが、単一のソフトウェアで実現された場合には、上述した効果（ａ）〜（ｃ）に加えて、（ｄ）既設の硬貨識別装置に組み込んである制御プログラム（ファームウェア）を更新する作業を実行するために必要な記憶容量を、当該硬貨識別装置が持つ揮発性記憶装置が有していない（記憶容量が不足している）場合でも、制御プログラム（ファームウェア）を更新する作業を実行可能である、という効果がさらに得られる。
【図面の簡単な説明】
【００８１】
【図１】硬貨識別装置を内蔵する硬貨入出金装置の構成を示す機能ブロック図であり、前記硬貨識別装置には、本発明の第１実施形態に係る識別基準情報設定システムが組み込まれている。
【図２】図１の硬貨入出金装置に内蔵された硬貨識別装置の制御部に組み込まれた、本発明の第１実施形態に係る識別基準情報設定システム及び硬貨識別動作実行部の構成を示す機能ブロック図である。
【図３】図２の識別基準情報設定システム及び硬貨識別動作実行部が制御部に組み込まれた図１の硬貨識別装置において、硬貨搬送路を通過する硬貨とその硬貨搬送路の両側に配置された第１〜第３の硬貨センサを示す概略側面図である。
【図４】図２の識別基準情報設定システム及び硬貨識別動作実行部が制御部に組み込まれた図１の硬貨識別装置において、その硬貨センサ部に設置された第１〜第３の硬貨センサの配置を示す概略平面図である。
【図５】図２の識別基準情報設定システム及び硬貨識別動作実行部が制御部に組み込まれた図１の硬貨識別装置において、その硬貨センサ部に設置された第１〜第３の硬貨センサから得られる３つの出力信号波形の関係を示す説明図である。
【図６】図２に示した本発明の第１実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図である。
【図７】図２に示した本発明の第１実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図で、硬貨識別装置の個体バラツキに起因して前記硬貨センサの出力電圧が上昇した時の波形と、上昇する前の波形を対比して示している。
【図８】本発明の第２実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図である。
【図９】本発明の第２実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図で、硬貨識別装置において硬貨センサの感度が高められている時の波形と、高められる前の波形を対比して示している。
【図１０】本発明の第３実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図である。
【図１１】本発明の第３実施形態に係る識別基準情報設定システムにおいて、第１〜第３の硬貨センサのうちの１つから得られる、ターゲット金種の識別基準情報を与える出力信号波形と、追加金種の識別基準情報を与える出力信号波形との関係を示す説明図で、硬貨識別装置の個体バラツキに起因して前記硬貨センサの感度が向上した時の波形と、向上する前の波形を対比して示している。
【図１２】図２に示した本発明の第１実施形態に係る識別基準情報設定システムの一連の動作を示すフローチャートである。
【図１３】図１の硬貨入出金装置に内蔵された硬貨識別装置の制御部に組み込まれた、硬貨識別動作実行部の一連の動作を示すフローチャートである。
【図１４】図２に示した本発明の第１実施形態に係る識別基準情報設定システムにおいて、識別基準情報記憶部に記憶された現行金種の識別基準情報の内容とそれらのレイアウト（記憶領域のレイアウト）の例を示す説明図で、追加金種の識別基準情報が全く登録（記憶）されていない状態を示している。
【図１５】図２に示した本発明の第１実施形態に係る識別基準情報設定システムにおいて、追加金種の識別基準情報の算出に使用される各種パラメータ情報が記憶されるパラメータ情報記憶部のレイアウト（記憶領域のレイアウト）の例を示す説明図で、当該パラメータ情報の内容（の一部）も併せて示している。
【図１６】（ａ）は図２に示した本発明の第１実施形態に係る識別基準情報設定システムの機能と硬貨識別動作実行部の機能の双方を組み込んで、硬貨識別システムのソフトウェアを作成する場合の構成を示す概念図、（ｂ）は図２に示した本発明の第１実施形態に係る識別基準情報設定システムのソフトウェアと硬貨識別動作実行部のソフトウェアを別個に作成し、両ソフトウェアによって硬貨識別システムの機能を実現する場合の構成を示す概念図である。
【発明を実施するための形態】
【００８２】
以下、添付図面を参照しながら、本発明の好適な実施形態について説明する。
【００８３】
（第１実施形態）
本発明の第１実施形態に係る識別基準情報設定システム１００の構成を図２に、その識別基準情報設定システム１００を備えた硬貨識別装置２００が内蔵された硬貨入出金装置３００の構成を図１に、それぞれ示す。識別基準情報設定システム１００は、図２に示すように、硬貨入出金装置３００の内部にある硬貨識別装置２００の制御部２１０に組み込まれている。この制御部２１０は、例えば、制御用ソフトウェアが組み込まれたハードウェアとして構成される。
【００８４】
以下の説明では、最初に硬貨入出金装置３００について述べ、その後に硬貨識別装置２００について述べてから、硬貨識別システム１００Ａを構成する識別基準情報設定システム１００及び識別動作実行部１１０について述べることにする。
【００８５】
（硬貨入出金装置３００）
硬貨入出金装置３００は、図１に示すように、硬貨識別部として機能する硬貨識別装置２００と、硬貨入金部３０１、硬貨振分部３０２、硬貨保留部３０３、硬貨出金部３０４、インターフェース（以下、Ｉ／Ｆとも表記する）３０５及び３０６、及び、制御部３１０を備えている。
【００８６】
制御部３１０は、硬貨入金部３０１と硬貨振分部３０２、硬貨保留部３０３及び硬貨出金部３０４の動作を制御する。制御部３１０は、例えば、制御用ソフトウェアが組み込まれたハードウェアとして構成される。Ｉ／Ｆ３０５により、制御部３１０は硬貨識別装置２００と接続されて両者間で信号の送信・受信が可能となっているため、制御部３１０は硬貨入金部３０１、硬貨振分部３０２、硬貨保留部３０３及び硬貨出金部３０４の動作を硬貨識別装置２００の動作と整合させることができる。また、Ｉ／Ｆ３０６により、制御部３１０は図示しない上位装置（例えば金銭登録機）と接続されて両者間で信号の送信・受信が可能であるため、制御部３１０はその上位装置からの指令（例えば出金指令）に応じた各種動作を行うことができる。
【００８７】
硬貨入金部３０１は、図示しない硬貨投入口を介して硬貨入出金装置３００に供給（投入）される多数の硬貨３０を相互に分離して、硬貨入出金装置３００の内部の硬貨導入空間に所望の姿勢で導入し、さらに、所望姿勢とされたそれら硬貨３０を硬貨識別部として機能する硬貨識別装置２００に送出するセクションである。
【００８８】
硬貨識別部として機能する硬貨識別装置２００は、硬貨入金部３０１から搬送されてくる多数の硬貨３０の各々について、その金種及び真贋を識別し、偽造と判断した硬貨３０については所定の真贋信号を生成して硬貨振分部３０２に送ると共に、真正と判断した硬貨３０については所定の真贋信号と金種信号を生成して硬貨振分部３０２に送る。硬貨識別装置２００の構成と機能の詳細については後述する。
【００８９】
硬貨振分部３０２は、硬貨識別装置２００から送られてくる真贋信号と金種信号に応じて、硬貨識別装置２００から送られてくる個々の硬貨３０（真正と判断されたものに限る）を金種毎に振り分けて硬貨保留部３０３に送るセクションである。硬貨識別装置２００で偽造と判断された硬貨３０については、硬貨振分部３０２は、硬貨保留部３０３には送らずに、専用通路を通って硬貨出金部３０４に送って出金トレイ（図示せず）に排出する。
【００９０】
硬貨保留部３０３は、硬貨振分部３０３によって金種毎に振り分けられた個々の硬貨３０（真正と判断されたものに限る）を、金種毎に用意された保留ボックスに保留（収納）するセクションである。硬貨保留部３０３は、例えば、金種毎に設けられた金種数と同数の保留ボックスを備えており、個々の硬貨３０をその金種に対応する振分ゲートを介して異なる経路を通って対応する保留ボックスに保留するように構成される。
【００９１】
硬貨出金部３０４は、硬貨保留部３０３に金種毎に収納された硬貨３０を、図示しない上位装置（例えば金銭登録機）から送られてくる出金指令に応じて適宜組み合わせ、外部（具体的には出金トレイ）に搬出（出金）するセクションである。
【００９２】
（硬貨識別装置２００）
次に、図１及び図２を参照しながら、硬貨識別装置２００について詳細に説明する。
【００９３】
硬貨識別装置２００は、図1に示すように、タイミングセンサ２０１、硬貨センサ部２０２、記憶部２０３、状態表示部２０４、Ｉ／Ｆ２０５及び制御部２１０を備えている。
【００９４】
タイミングセンサ２０１は、所定時刻に所定スピードで情報（信号）を送るためのタイミング信号（クロック信号）を生成して制御部２１０に供給する。制御部２１０は、そのタイミング信号に同期するように動作すると共に、硬貨センサ部２０２、記憶部２０３、状態表示部２０４及びＩ／Ｆ２０５の動作をそのタイミング信号に同期するように制御する。したがって、硬貨識別装置２００の全体が、タイミングセンサ２０１が生成するタイミング信号（クロック信号）に同期して動作することになる。
【００９５】
硬貨センサ部２０２は、複数の硬貨センサを内蔵していて、硬貨３０の通過を検出して複数のセンサ情報を出力するセクションである。硬貨センサ部２０２は、ここでは、図３に示すように、直線状の硬貨搬送路１０と、その直線状の硬貨搬送路１０に沿って順に配置された、一対の対向する第１硬貨センサ２０ａと、一対の対向する第２硬貨センサ２０ｂと、一対の対向する第３硬貨センサ２０ｃとを備えている。硬貨搬送路１０の一端（図３では左端）は、硬貨入金部３０１の硬貨搬送路（図示せず）に接続されている。硬貨入金部３０１の硬貨投入口（図示せず）から投入された複数の硬貨３０は、相互に分離されてから、間隔をあけて１枚ずつ硬貨搬送路１０に送り込まれる。硬貨搬送路１０の他端（図３では右端）は、硬貨振分部３０２の硬貨搬送路（図示せず）に接続されており、硬貨識別装置２００において真贋及び金種の識別が完了した各硬貨３０は、硬貨搬送路１０を通って硬貨振分部３０２に送られる。
【００９６】
一対の第１硬貨センサ２０ａと一対の第２硬貨センサ２０ｂの間は所定距離だけ離れており、一対の第２硬貨センサ２０ｂと一対の第３硬貨センサ２０ｃの間も所定距離だけ離れている。一対の第１硬貨センサ２０ａの一方と、一対の第２硬貨センサ２０ｂの一方と、一対の第３硬貨センサ２０ｃの一方は、硬貨搬送路１０の片側（例えば図３において硬貨搬送路１０の向こう側）に配置され、一対の第１硬貨センサ２０ａの他方と、一対の第２硬貨センサ２０ｂの他方と、一対の第３硬貨センサ２０ｃの他方は、硬貨搬送路１０の反対側（例えば図３おいて硬貨搬送路１０の手前側）に配置されている。硬貨入金部３０１から硬貨搬送路１０に送り込まれた硬貨３０は、図４に示すような立位状態で、第１、第２及び第３の硬貨センサ２０ａ、２０ｂ及び２０ｃの間を、図３の矢印で示す方向に移動する。第１、第２及び第３の硬貨センサ２０ａ、２０ｂ及び２０ｃは、このようにして硬貨搬送路１０を移動中の硬貨３０を検出して、第１、第２及び第３のセンサ情報（センサ信号）をそれぞれ出力する。
【００９７】
一対の第１硬貨センサ２０ａは、共に同じ構成を持ち、いずれも、コア２２ａと、そのコア２２ａの周囲に巻回されたコイル２１ａと、カバー２３ａとを備えている。各々の第１硬貨センサ２０ａは、全体形状が略円柱形であって、硬貨搬送路１０を搬送される硬貨１０の中心とほぼ同心となるように固定されている（図３及び図４参照）。第１硬貨センサ２０ａは、硬貨搬送路１０の両側にそれぞれ配置されていて、硬貨搬送路１０を搬送される硬貨１０をその両側から挟むような状態で、当該硬貨３０の物理的性質を磁気的に検出することによって、当該硬貨３０の「材質」を検出する。つまり、第１硬貨センサ２０ａは、当該硬貨３０の材質を磁気的に検出する「材質センサ」である。なお、硬貨１０の直径が金種によって異なるため、第１硬貨センサ２０ａの中心と硬貨１０の中心とのずれが大きくなることがあるが、そのようになっても「材質」の検出に支障がないように、第１硬貨センサ２０ａの直径が設定されている。
【００９８】
一対の第２硬貨センサ２０ｂは、共に同じ構成を持ち、いずれも、コア２２ｂと、そのコア２２ｂの周囲に巻回されたコイル２１ｂと、カバー２３ｂとを備えている。各々の第２硬貨センサ２０ｂは、一対の第１硬貨センサ２０ａと同様に、全体形状が略円柱形であって、硬貨搬送路１０を搬送される硬貨１０の中心とほぼ同心となるように固定されている。第２硬貨センサ２０ｂは、硬貨搬送路１０の両側にそれぞれ配置されていて、硬貨搬送路１０を搬送される硬貨１０をその両側から挟むような状態で、当該硬貨３０の物理的性質を磁気的に検出することによって、当該硬貨３０の「厚み」を検出する。つまり、第２硬貨センサ２０ｂは、当該硬貨３０の厚みを磁気的に検出する「厚みセンサ」である。なお、硬貨１０の直径が金種によって異なるため、第２硬貨センサ２０ｂの中心と硬貨１０の中心とのずれが大きくなることがあるが、そのようになっても「厚み」の検出に支障がないように、第２硬貨センサ２０ｂの直径が設定されている。
【００９９】
一対の第３硬貨センサ２０ｃは、共に同じ構成を持ち、いずれも、コア２２ｃと、そのコア２２ｃの周囲に巻回されたコイル２１ｃと、カバー２３ｃとを備えている。各々の第３硬貨センサ２０ｃは、一対の第１硬貨センサ２０ａ及び第２硬貨センサ２０ｂと同様に、全体形状が略円柱形であるが、第１及び第２硬貨センサ２０ａ及び２０ｂとは異なり、硬貨搬送路１０を搬送される硬貨１０が部分的に重なるように固定されている。一対の第３硬貨センサ２０ｃは、硬貨搬送路１０の底面から上方に離れた位置に固定されている点でも、硬貨搬送路１０の底面の近傍に固定されている第１硬貨センサ２０ａ及び第２硬貨センサ２０ｂの場合とは異なっている。第３硬貨センサ２０ｂは、硬貨搬送路１０の両側にそれぞれ配置されていて、硬貨搬送路１０を搬送される硬貨１０をその両側から挟むような状態で、当該硬貨３０の物理的性質を磁気的に検出することによって、当該硬貨３０の「直径」を検出する。つまり、第３硬貨センサ２０ｃは、当該硬貨３０の直径を磁気的に検出する「直径センサ」である。なお、硬貨１０の直径が金種によって異なるため、第３硬貨センサ２０ｃと硬貨１０との重なりの程度（重なり状態）が変化するが、その重なりの程度が小さくなっても「直径」の検出に支障がないように、第３硬貨センサ２０ｃと硬貨１０の相対位置が設定されている。
【０１００】
記憶部２０３は、所定の情報を記憶するセクションであり、公知の任意の記憶装置から構成されている。記憶部２０３は、図２に示すように、センサ情報記憶部２０３ａ、固有情報記憶部２０３ｂ、識別基準情報記憶部２０３ｃ、追加金種規範情報記憶部２０３ｄ、ターゲット金種規範情報記憶部２０３ｅ、及び、パラメータ情報記憶部２０３ｆという６つのサブセクションに分かれている。
【０１０１】
センサ情報記憶部２０３ａは、硬貨３０の材質、厚み及び直径を検出する第１、第２及び第３の硬貨センサ２０ａ、２０ｂ及び２０ｃからそれぞれ出力される、第１、第２及び第３のセンサ情報（出力信号）を記憶するサブセクションである。これら３つのセンサ情報は、いずれもアナログ情報であり、１つの硬貨３０を検出する毎にそれらの値が変動する。具体的に言えば、これら３つのセンサ情報は、例えば、図５に示すような波形信号であり、硬貨３０の通過に起因して異なるタイミングで変動部（谷部）が生成される。これは、３対の硬貨センサ２０ａ、２０ｂ及び２０ｃが直線状の硬貨搬送路１０に沿って順に配置されているからである。
【０１０２】
センサ情報記憶部２０３ａとしては、任意のタイプの書き換え可能な記憶装置を使用可能であるが、揮発性記憶装置（例えばRandom Access Memory, ＲＡＭ）を使用するのが好ましい。第１〜第３のセンサ情報は、後述する第１〜第３の固有情報を硬貨３０毎に抽出するために利用するので、一時的に記憶する必要があるが、その固有情報の抽出が完了した後は不要になるためである。センサ情報記憶部２０３ａとして例えばＲＡＭを使用すれば、複数の硬貨３０が硬貨搬送路１０を連続的に搬送される毎に、３つの硬貨センサ２０ａ、２０ｂ及び２０ｃから出力される第１〜第３のセンサ情報を上書き保存することが可能となり、便利である。
【０１０３】
固有情報記憶部２０３ｂは、硬貨３０毎に第１、第２及び第３のセンサ情報から抽出される複数の固有情報を記憶するサブセクションである。複数の固有情報には、専用の記憶領域（アドレス）が割り当てられており、複数の固有情報のそれぞれが該当する記憶領域に記憶されるようになっている。具体的に言えば、例えば、第１〜第３のセンサ情報が図５に示すような波形Ｗａ、Ｗｂ及びＷｃからなる情報（波形情報）であるとすると、第１、第２及び第３のセンサ情報を示す波形Ｗａ、Ｗｂ及びＷｃの振幅（電圧）の例えば極小値（図５の点Ａ、Ｂ及びＣの電圧値）が、複数の固有情報にそれぞれ設定されて、該当する記憶領域に記憶されることになる。なお、複数の固有情報として極小値以外の値を使用してもよいし、固有情報の数は必要に応じて任意に決定できることは言うまでもない。
【０１０４】
固有情報記憶部２０３ｂとしては、任意のタイプの書き換え可能な記憶装置を使用可能であるが、電気的に書換え可能な不揮発性記憶装置（Electrically Erasable Programmable Read Only Memory, ＥＥＰＲＯＭ）を使用するのが好ましい。これは、硬貨３０毎に連続的に抽出される複数の固有情報を対応する識別規準情報と比較して、各硬貨３０の真偽識別と金種識別とを行う必要があるため、抽出された複数の固有情報を記憶しておく必要があるからである。
【０１０５】
識別基準情報記憶部２０３ｃは、現行金種（例えば、日本円であれば１円、５円、１０円、５０円、１００円及び５００円の６金種）の各々に対して設定された識別基準情報を記憶するサブセクションである。ここでは、上述した第１、第２及び第３の硬貨センサ２０ａ、２０ｂ及び２０ｃに対応して、金種毎に所定数の識別基準情報を記憶するようになっている。識別基準情報記憶部２０３ｃには、硬貨識別装置２００の出荷時に金種毎に所定数の識別基準情報が記憶されるが、出荷後に新たな識別基準情報を追加設定する必要性が生じることを考慮して、複数の新しい識別基準情報を記憶するための専用の記憶領域（アドレス）も用意されている。
【０１０６】
識別基準情報記憶部２０３ｃとしては、任意のタイプの記憶装置を使用可能であるが、電気的に書換え可能な不揮発性記憶装置（ＥＥＰＲＯＭ）を使用するのが好ましい。これら識別基準情報は、長期使用が前提となっているし、最初に設定・記憶させた識別基準情報を硬貨識別装置２００の使用開始後に変更することがあるためであり、また、使用開始後に新識別基準情報を追加することもあるためである。ＥＥＰＲＯＭであれば、これらの状況に容易に対応して、既存識別基準情報の変更や新識別基準情報の追加が可能である。
【０１０７】
追加金種規範情報記憶部２０３ｄは、現行金種に新たに追加すべき金種（追加金種）に対して設定されている規範情報（追加金種規範情報）を記憶するサブセクションである。ここで、「追加金種規範情報」とは、追加金種について新たに追加設定されるべき識別基準情報の「規範（拠るべき規準）」となる情報を意味する。そのような「規範情報」を生成するために、硬貨識別装置２００の製造企業には、必ず、硬貨識別装置２００の標準機が用意されているから、その標準機を使用して追加金種の硬貨の真贋識別と金種識別を行うことで、硬貨識別装置２００における「追加金種規範情報」は容易に得ることができる。
【０１０８】
追加金種規範情報記憶部２０３ｄとしては、任意のタイプの記憶装置を使用可能であるが、電気的に書換え可能な不揮発性記憶装置（ＥＥＰＲＯＭ）を使用するのが好ましい。追加金種の規範情報は、使用開始後に追加金種規範情報を何度も追加設定・記憶させる必要があるためであり、また、記憶している追加金種規範情報をその後の事情の変化に応じて変更・消去したりすることがあるためである、長期保存が必要であるからでもある。ＥＥＰＲＯＭであれば、これらの状況に容易に対応が可能である。
【０１０９】
ターゲット金種規範情報記憶部２０３ｅは、ターゲット金種に対して設定されている規範情報（ターゲット金種規範情報）を記憶するサブセクションである。ここで、「ターゲット金種」とは、追加金種に対して識別基準情報を新たに設定する際に、追加金種規範情報と組になって使用されるターゲット規範情報を特定するために現行金種の中から指定される１又は複数の金種を意味する。また、「ターゲット金種規範情報」とは、ターゲット金種について設定されるべき識別基準情報の「規範（拠るべき規準）」となる情報を意味する。硬貨識別装置２００における「ターゲット金種規範情報」は、上述した硬貨識別装置２００の標準機を使用してターゲット金種の硬貨の真贋識別と金種識別を行うことで、容易に得ることができる。
【０１１０】
ターゲット金種規範情報記憶部２０３ｅとしては、任意のタイプの記憶装置を使用可能であるが、電気的に書換え可能な不揮発性記憶装置（ＥＥＰＲＯＭ）を使用するのが好ましい。ターゲット金種は、追加金種の識別基準情報を追加設定・変更・削除等する度に変更されるためであり、長期保存が必要であるからでもある。ＥＥＰＲＯＭであれば、これらの状況に容易に対応が可能である。
【０１１１】
パラメータ情報記憶部２０３ｆは、追加金種に対する識別基準情報を算出する際に使用される各種パラメータ情報を記憶するサブセクションである。ここで、「パラメータ情報」とは、ターゲット金種の識別基準情報と、そのターゲット金種の識別基準情報に係るターゲット金種規範情報と、追加金種の識別基準情報に係る追加金種規範情報とに基づいて、追加金種の識別基準情報を算出する際に、パラメータとして使用される情報である。追加金種の識別基準情報の算出時に使用される算出法は２以上あるので、それら算出法毎に異なるパラメータが設定されている。パラメータ情報の例としては、例えば、Ａｋ１，Ａｋ２，（Ａｘ＿０／Ａｋ１＿０），（Ｖ１／Ｖ２），（Ｖ３／Ｖ４）等が挙げられる（図１５参照）。
【０１１２】
パラメータ情報記憶部２０３ｆとしては、任意のタイプの記憶装置を使用可能であるが、電気的に書換え可能な不揮発性記憶装置（ＥＥＰＲＯＭ）を使用するのが好ましい。パラメータ情報は、追加金種の識別基準情報を算出する際に、ターゲット金種を変える度に変更されるためであり、長期保存が必要であるからでもある。ＥＥＰＲＯＭであれば、これらの状況に容易に対応が可能である。
【０１１３】
状態表示部２０４は、硬貨識別装置２００の動作状態を所定の表示領域（図示せず）に表示して、硬貨入出金装置３００のユーザーあるいは管理者、担当のサービスエンジニア等に硬貨識別装置２００（硬貨入出金装置３００）の現在の動作状態、エラーの発生等を告知するセクションである。状態表示部２０４は、例えば発行色の異なる複数のＬＥＤや小型の液晶パネル等の表示装置を用いて実現することができる。状態表示部２０４により、例えば、硬貨識別装置２００の動作によって偽造硬貨が発見された場合や、硬貨識別動作に異常が生じた場合に、その状態を直ちにユーザーや管理者や担当のサービスエンジニア等に告知することが可能となる。
【０１１４】
Ｉ／Ｆ２０５は、硬貨識別装置２００の外側に設けられているＩ／Ｆ３０５を介して、硬貨識別装置２００の制御部２１０と、硬貨入金部３０１、硬貨振分部３０２、硬貨保留部３０３及び硬貨出金部３０４を制御する制御部３１０とを接続する。このため、硬貨識別装置２００の動作は、硬貨入金部３０１、硬貨振分部３０２、硬貨保留部３０３及び硬貨出金部３０４の動作と整合するように制御することが可能である。
【０１１５】
制御部２１０は、図２に示すように、本発明の第１実施形態に係る識別基準情報設定システム１００と、硬貨識別動作実行部１１０とを包含している。換言すれば、制御部２１０の内部に、識別基準情報設定システム１００と硬貨識別動作実行部１１０とが組み込まれているのである。識別基準情報設定システム１００と硬貨識別動作実行部１１０は、硬貨識別システム１００Ａを構成しており、硬貨識別システム１００Ａによって硬貨識別装置２００の所定の硬貨識別動作が実現されるようになっている。
【０１１６】
（硬貨識別システム１００Ａ）
硬貨識別システム１００Ａは、上述したように、識別基準情報設定システム１００と硬貨識別動作実行部１１０から構成されているから、以下では、最初に識別基準情報設定システム１００について詳細に説明し、続いて硬貨識別動作実行部１１０について簡単に説明することにする。
【０１１７】
（識別基準情報設定システム１００）
本発明の第１実施形態に係る識別基準情報設定システム１００は、現行の識別対象金種（現行金種）に対して１又は複数の追加金種を追加する必要がある場合に起動されて（アクティブになって）、所望の追加金種の識別基準情報を算出し、算出された当該追加金種の識別基準情報を硬貨識別装置２００の記憶部２０３の識別基準情報記憶部２０３ｃに保存すると共に、現行金種に加えて当該追加金種の硬貨の識別をも行うように硬貨識別装置２００の制御部２１０の設定を変更する機能を持つ。
【０１１８】
ここでは、識別基準情報設定システム１００と硬貨識別動作実行部１１０を包含する硬貨識別システム１００Ａが、単一のソフトウェア（ファームウェア）として構成されている（図１６（ａ）参照）。このため、制御部２１０にインストールされている現行の硬貨識別システム１００Ａに、適宜修正を加えて新バージョンを作成した後、その新バージョンを上書きインストールすることで現行の硬貨識別システム１００Ａを更新し、同システム１００Ａの機能を修正・改善することが可能となっている。
【０１１９】
識別基準情報設定システム１００の全体構成は、図２に示すとおりであり、状態判定部１０１、ターゲット金種指定部１０２、追加金種識別基準情報算出部１０３、追加金種識別基準情報設定部１０４、及び、システム更新制御部１０５を備えている。
【０１２０】
状態判定部１０１は、記憶部２０３の識別基準情報記憶部２０３ｃに所望の金種に対する識別基準情報が記憶されているかどうかを判定し、判定結果に応じた信号（判定結果信号）をターゲット金種指定部１０２に向けて送出するするセクションである。
【０１２１】
上述したように、識別基準情報記憶部２０３ｃには、現行金種の金種毎に設定された複数の識別基準情報が予め記憶されている。例えば、１円、５円、１０円、５０円、１００円及び５００円の６金種の各々について、１０個の識別基準情報が設定される。この場合、識別基準情報記憶部２０３ａには合計６０個の識別基準情報が記憶されていることになる。追加金種に対して追加設定される識別基準情報は、これら６０個の識別基準情報が記憶されている記憶領域（アドレス）とは異なる記憶領域（アドレス）に記憶されるようになっているので、状態判定部１０１が、前記追加金種に対する識別基準情報が記憶されるべき記憶領域（アドレス）を順次探索していくことで、識別基準情報記憶部２０３ｃに前記追加金種に対する識別基準情報が記憶されているかどうか（識別基準情報の記憶状態）を容易に判定することができる。そこで、状態判定部１０１は、その判定結果に応じて、例えば、「未登録金種なし（金種のすべてについて識別基準情報が記憶されている）」、又は、「未登録金種あり（少なくとも一部の金種について識別基準情報が記憶されていない）」という判定結果信号をターゲット金種指定部１０２に送出する。
【０１２２】
ターゲット金種指定部１０２は、追加金種に対して識別基準情報を新たに設定する際に、１又２以上のターゲット金種を現行金種の中から指定するセクションである。状態判定部１０１から出力される判定結果信号の内容が、「未登録金種なし」である場合は、硬貨識別動作実行部１１０に向けて所定の起動信号を送出して、硬貨識別動作実行部１１０を起動させる。これにより、硬貨識別動作実行部１１０は所定の硬貨識別動作の実行を開始する。こうして、硬貨識別装置２００は通常の運用状態に移行する。
【０１２３】
これに対し、前記判定結果信号の内容が「未登録金種あり」である場合には、ターゲット金種指定部１０２は、所定のターゲット金種指定信号を追加金種識別基準情報算出部１０３に向けて送出する。これにより、現行金種の中から１又は２以上のターゲット金種が指定される。１又は２以上のターゲット金種は、所定のルール、例えば、複数の現行金種の中から金額が最小（又は最大）の金種を指定する、といったルールにしたがって、自動的に指定される。このルールは、必要に応じて、任意に設定・変更できることは言うまでもない。
【０１２４】
追加金種識別基準情報算出部１０３は、追加金種の識別基準情報を算出して保存するセクションである。追加金種識別基準情報算出部１０３は、ターゲット金種指定部１０２によって送出されたターゲット金種指定信号で指定された現行金種をターゲット金種として扱いながら、所定の算出方法を用いて所望の追加金種に対する識別基準情報を算出し、さらに、識別基準情報記憶部２０３ｃに保存してから、追加金種識別基準情報設定部１０４に向けて送出する。具体的な算出方法については、後述する。
【０１２５】
追加金種識別基準情報設定部１０４は、追加金種識別基準情報算出部１０３によって算出・保存された追加金種の識別基準情報が硬貨識別装置２００において使用されるように設定するセクションである。追加金種識別基準情報設定部１０４は、追加金種識別基準情報算出部１０３から送出される追加金種に対する識別基準情報を受け取り、その識別基準情報が硬貨識別動作実行部１１０で使用されるように設定する。すなわち、硬貨識別動作実行部１１０の真贋識別部１１３及び金種識別部１１４において追加金種に対する識別基準情報を使用して、現行金種だけでなく追加金種に対しても真贋識別及び金種識別が実行されるように、硬貨識別装置２００を設定する。
【０１２６】
システム更新制御部１０５は、識別基準情報設定システム１００と硬貨識別動作実行部１１０からなる硬貨識別システム１００Ａの更新を制御するセクションである。システム更新制御部１０５によって、インターネット等の通信ネットワークを通じて所定の信号を受信することで、随時、硬貨識別システム１００Ａの自動更新（追加金種とその追加金種のための識別基準情報を含む新バージョンの上書きインストール）を行い、さらに、識別基準情報設定システム１００と硬貨識別動作実行部１１０の自動実行を行うことが可能となる。
【０１２７】
（硬貨識別動作実行部１１０）
続いて、硬貨識別動作実行部１１０について説明する。
【０１２８】
硬貨識別動作実行部１１０は、硬貨識別装置２００の通常（公知）の硬貨識別動作を実行するセクションである。具体的に言えば、硬貨センサ部２０２から送られてくる第１〜第３のセンサ情報に基づいて、搬送されてくる個々の硬貨３０の真贋及び金種を識別するという一連の動作を実行する。
【０１２９】
硬貨識別動作実行部１１０は、図２に示すような構成を有しており、センサ情報取得部１１１、固有情報抽出部１１２、真贋識別部１１３、金種識別部１１４、及び、動作モード切換部１１５を備えている。
【０１３０】
センサ情報取得部１１１は、硬貨センサ部２０２の第１、第２及び第３の硬貨センサ２０ａ、２０ｂ及び２０ｃからそれぞれ出力される第１、第２及び第３のセンサ情報（アナログ情報）を取得し、記憶部２０３のセンサ情報記憶部２０３ａに保存するサブセクションである。
【０１３１】
固有情報抽出部１１２は、センサ情報取得部１１１によってセンサ情報記憶部２０３ａに取得・保存された第１、第２及び第３のセンサ情報（アナログ情報）を読み出して、それらセンサ情報から硬貨３０の真贋識別と金種識別に使用される所定数の固有情報をそれぞれ抽出し、記憶部２０３の固有情報記憶部２０３ｂに保存するサブセクションである。
【０１３２】
真贋識別部１１３は、固有情報記憶部２０３ｂに保存されている所定数の固有情報を読み出すと共に、識別基準情報記憶部２０３ｃに金種毎に保存されている現行金種の所定数の識別基準情報を読み出して、所定数の固有情報と金種毎に設定された所定数の識別基準情報とを比較することで、個々の硬貨３０の真贋を識別するサブセクションである。真贋識別部１１３は、個々の硬貨３０の真贋識別による結果に応じて、現在対象になっている硬貨３０が「真正な硬貨である」こと、又は「偽造硬貨である」ことを示す真贋信号を生成し、硬貨振分部３０２に送信する。硬貨振分部３０２は、「真正硬貨である」ことを示す真贋信号を受け取ると、該当する硬貨３０を金種識別部１１４に送る。硬貨振分部３０２は、「偽造硬貨である」ことを示す真贋信号を受け取ると、該当する硬貨３０を硬貨出金部３０４送って出金トレイ（図示せず）に排出する。
【０１３３】
金種識別部１１４は、固有情報記憶部２０３ｂに保存されている所定数の固有情報を読み出すと共に、識別基準情報記憶部２０３ｃに金種毎に保存されている現行金種の所定数の識別基準情報を読み出して、所定数の固有情報と金種毎の所定数の識別基準情報とを比較することで、個々の硬貨３０の金種を識別するサブセクションである。金種識別部１１４は、個々の硬貨３０の金種識別による結果に応じて、現在対象になっている硬貨３０（真正と判断されたものに限る）の金種を示す金種信号を生成し、硬貨振分部３０２に送信する。硬貨振分部３０２は、その金種信号に応じて、硬貨識別装置２００から送られてくる個々の硬貨３０を金種毎に振り分けて、硬貨保留部３０３に送る。硬貨保留部３０３は、硬貨３０を金種毎に用意された保留ボックスに保留（収納）する。
【０１３４】
真贋識別部１１３と金種識別部１１４の動作は、所定数の固有情報と金種毎の所定数の識別基準情報を比較する部分が共通するので、これらの情報比較処理を通じて、真贋識別と金種識別の双方を行うようにしてもよい。つまり、硬貨３０が所定の金種のいずれかに該当すれば、真正なその金種の硬貨であると判断し、いずれの金種にも該当しないと、偽造硬貨と判断するのである。こうすると、その判断を行う部分は、真贋識別部１１３と金種識別部１１４の双方の動作を行うので、「真贋・金種識別部」と呼ぶことができる。
【０１３５】
動作モード切換部１１５は、必要に応じて、硬貨識別装置２００の動作モードを切り換えるためのサブセクションである。硬貨識別装置２００は、新金種を追加するための識別基準情報を設定する時（新金種追加モード）以外は、通常の一連の硬貨識別動作（図１３参照）を行う（通常モード）。動作モード切換部１１５は、外部から所定の切換信号、具体的には「新金種追加指令」、すなわち、現行金種に追加金種及びそれに対する識別基準情報を追加登録する指令を受信すると、「通常モード」から「新金種追加モード」に自動的に切り換えるように構成されている。「新金種追加モード」の一連の動作（図１２参照）は、識別基準情報設定システム１００が実行する。硬貨識別動作実行部１１０の一連の動作（図１３参照）は、硬貨識別動作実行部１１０が実行する。動作モード切換部１１５は、「通常モード」と「新金種追加モード」の間で、硬貨識別装置２００の動作モードの切り換えを行うのである。
【０１３６】
硬貨識別動作実行部１１０は、動作モード切換部１１５が新金種追加指令を受信しない限り、通常モードの一連の動作を実行し続ける。新金種追加指令を受信すると、動作モード切換部１１５により通常モードから新金種追加モードに一時的に切り換えられて、図１２に示した新金種追加モードの一連の動作が識別基準情報設定システム１００によって実行される。新金種追加モードの一連の動作が完了すると、すなわち、所望の追加金種の識別基準情報の登録（保存）が完了すると、直ちに通常モードに自動的に切り換えられて、通常モードの一連の動作が再開される。
【０１３７】
（識別基準情報設定システム１００の動作）
次に、以上のような構成と機能を持つ識別基準情報設定システム１００の動作について、図１２のフローチャートを参照しながら説明する。
【０１３８】
ここでは、識別対象の現行金種Ｄｃが、金種Ｄ１、Ｄ２、Ｄ３、Ｄ４及びＤ５の５種であると仮定する。また、現行金種Ｄｃである金種Ｄ１〜Ｄ５に対して追加されるべき追加金種Ｄａが、金種Ｄ６及びＤ７の２金種であると仮定する。
【０１３９】
５種の現行金種Ｄ１、Ｄ２、Ｄ３、Ｄ４及びＤ５の識別基準情報が保存されている識別基準情報記憶部２０３ｃに記憶された状態の一例を、図１４に示す。図１４の例では、５種の現行金種Ｄ１、Ｄ２、Ｄ３、Ｄ４及びＤ５（金種番号１〜５）のそれぞれが、所定数の識別基準情報Ｐａ、Ｐｂ、Ｐｃ、Ｐｄ、Ｐｅ、Ｐｆ・・・Ｐｘを有しており、それらに一対一で割り当てられた記憶領域（アドレス）に識別基準情報が保存されている。すなわち、現行金種Ｄ１（金種番号１）は、所定数の識別基準情報１Ｐａ、１Ｐｂ、１Ｐｃ、１Ｐｄ、１Ｐｅ、１Ｐｆ・・・１Ｐｘを有している。他の現行金種Ｄ２〜Ｄ５（金種番号２〜５）も同様である。５種の現行金種Ｄ１、Ｄ２、Ｄ３、Ｄ４及びＤ５以外には、対応する識別基準情報が保存されていない（未登録）から、これら以外の金種については硬貨識別が行えない。後述するように、識別基準情報設定システム１００によって追加金種Ｄ６及びＤ７に対して識別基準情報が算出・保存されると、追加金種Ｄ６及びＤ７についても硬貨識別が行えるようになる。
【０１４０】
図１５に、追加金種Ｄ６及びＤ７（金種番号６及び７）の識別基準情報の算出に使用される各種パラメータ情報が記憶されるパラメータ情報記憶部２０３ｆのレイアウト（記憶領域のレイアウト）の一例を示す。図１５の右端には、当該パラメータ情報の内容の例（ＡＫ１、Ａｋ２、（Ａｘ＿０／Ａｋ１＿０），（Ｖ１／Ｖ２），（Ｖ３／Ｖ４）等）も示されている。このようにして、追加金種Ｄ６及びＤ７の識別基準情報の算出に使用される各種パラメータ情報を異なる記憶領域に保存しておくことで、所望の識別基準情報の算出が迅速に行えるという利点がある。
【０１４１】
上述したように、第１〜第３の硬貨センサ２０ａ、２０ｂ及び２０ｃは、いずれも磁気センサであり、また、直線状の硬貨搬送路１０に沿って所定間隔をあけて配置されている。このため、硬貨搬送路１０を搬送される硬貨３０が第１、第２及び第３の硬貨センサ２０ａ、２０ｂ及び２０ｃの近傍をこの順に通過すると、硬貨センサ２０ａ、２０ｂ及び２０ｃから出力される信号である第１〜第３のセンサ情報は、一時的に変動し、しかも、それら変動は異なった時刻に生じる。したがって、第１〜第３のセンサ情報は、それぞれ、例えば、図５に示すような波形信号Ｗａ、Ｗｂ及びＷｃのようになる。材質に係る第１センサ情報である波形信号Ｗａの振幅（電圧値）の変動が生じるタイミングが最も早く、直径に係る第３センサ情報である波形信号Ｗｃの振幅の変動が生じるタイミングが最も遅く、厚みに係る第２センサ情報である波形信号Ｗｂの振幅の変動が生じる時刻（タイミング）は、第１波形信号Ｗａと第３波形信号Ｗｃの変動時刻の間である。このように、第１〜第３のセンサ情報は、連続値をとるアナログ情報であり、また、それらの値（振幅）の変動するタイミングがずれているのである。
【０１４２】
硬貨識別動作実行部１１０は、このような第１〜第３のセンサ情報と、予め設定した識別基準情報を用いて個々の硬貨３０の真贋識別及び金種識別を行う（通常モード）が、その対象は、現在の識別対象である複数の現行金種Ｄｃに限定されている。そして、これらの現行金種Ｄｃに対して、１又は複数の追加金種Ｄａの追加が必要になった場合、外部から硬貨識別装置２００の硬貨識別システム１００Ａに対して、新金種追加指令が送信される。すると、動作モード切換部１１５が新金種追加指令を受信し、動作モードを通常モードから新金種追加モードに切り換える。
【０１４３】
新金種追加モードでは、識別基準情報設定システム１００が、図１２のフローチャートで示すように動作して、要求された追加金種Ｄ６及びＤ７に対する識別基準情報の追加を可能にする。
【０１４４】
ここでは、現行金種Ｄｃが５種の金種Ｄ１、Ｄ２、Ｄ３、Ｄ４及びＤ５であり、これらの現行金種Ｄ１〜Ｄ５に対して、追加金種Ｄａとして２種の金種Ｄ６及びＤ７の追加が必要になったと仮定する。なお、現行金種Ｄｃとしての金種Ｄ１、Ｄ２、Ｄ３、Ｄ４及びＤ５と、追加金種Ｄａとしての金種Ｄ６及びＤ７は、それぞれ、１０個の識別基準情報を持つと仮定する。
【０１４５】
以下の説明では、以下のような表示を用いることにする。
【０１４６】
現行金種の一般表示をＤｃとし、ｓ個の現行金種をそれぞれＤｃ１〜Ｄｃｓと書く（ただしｓは正の整数）。また、ｓ個の現行金種Ｄｃ１〜Ｄｃｓの各々が持つｋ個の識別基準情報を、例えばＡ１（Ｄｃ１）〜Ａｋ（Ｄｃ１）ｋのように書く（ただしｋは２以上の整数）。具体的には、Ａ１（Ｄｃ１）〜Ａｋ（Ｄｃ１），Ａ１（Ｄｃ２）〜Ａｋ（Ｄｃ２），Ａ１（Ｄｃ３）〜Ａｋ（Ｄｃ３），・・・・・・，Ａ１（Ｄｃｓ）〜Ａｋ（Ｄｃｓ）と書くことができる。
【０１４７】
追加金種の一般表示をＤａとし、ｎ個の追加金種をそれぞれＤａ１〜Ｄａｎと書く（ただしｎは正の整数）。また、ｎ個の追加金種Ｄａ１〜Ｄａｎの各々が持つｍ個の識別基準情報を、例えばＡ１（Ｄａ１）〜Ａｍ（Ｄａ１）のように書く（ただしｍは２以上の整数）。具体的には、Ａ１（Ｄａ１）〜Ａｍ（Ｄａ１），Ａ１（Ｄａ２）〜Ａｍ（Ｄａ２），Ａ１（Ｄａ３）〜Ａｍ（Ｄａ３），・・・・・・，Ａ１（Ｄａｎ）〜Ａｍ（Ｄａｎ）と書くことができる。
【０１４８】
ターゲット金種の一般表示をＤｔとし、ｕ個のターゲット金種をそれぞれＤｔ１〜Ｄｔｕと書く（ただしｕは正の整数）。ターゲット金種Ｄｔは、ｓ個の現行金種Ｄｃ１〜Ｄｃｓの中から選択的に指定されるから、ターゲット金種Ｄｔは現行金種Ｄｃ１〜Ｄｃｓの中のいずれかに等しい。
【０１４９】
ｕ個のターゲット金種Ｄｔ１〜Ｄｔｕの各々が持つ規範情報（ターゲット金種規範情報）を、例えばＹ（Ｄｔ１）〜Ｙ（Ｄｔｕ）のように書く。具体的には、Ｙ１（Ｄｔ１）〜Ｙｋ（Ｄｔ１），Ｙ１（Ｄｔ２）〜Ｙｋ（Ｄｔ２），・・・・・・，Ｙ１（Ｄｔｕ）〜Ｙｋ（Ｄｔｕ）と書くことができる。
【０１５０】
ｎ個の追加金種Ｄａ１〜Ｄａｎの各々が持つ規範情報（追加金種規範情報）を、例えばＺ（Ｄａ１）〜Ｚ（Ｄａｎ）のように書く。具体的には、Ｚ１（Ｄａ１）〜Ｚｍ（Ｄａ１），Ｚ１（Ｄａ２）〜Ｚｍ（Ｄａ２），・・・・・・，Ｚ１（Ｄａｎ）〜Ｚｍ（Ｄａｎ）と書くことができる。
【０１５１】
硬貨識別装置２００の動作モードが新金種追加モードに移行すると、識別基準情報設定システム１００が起動して、図１２のフローチャートに示す一連の動作を実行する。まず、硬貨識別装置２００の記憶部２０３の識別基準情報記憶部２０３ｃが調査される（ステップＳ１）。そして、未登録の追加金種があるか否か、換言すれば、ｎ個の追加金種Ｄａ（ここでは２つの金種Ｄ６及びＤ７）の各々に対するｍ個（例えば１０個）の識別基準情報Ａ１（Ｄａ）〜Ａｍ（Ｄａ）が、識別基準情報記憶部２０３ｃに設定・保存されているか否か、が判断される（ステップＳ２）。この調査と判断は、状態判定部１０１により行われる。そして、追加金種Ｄａに対する識別基準情報Ａ１（Ｄａ）〜Ａｍ（Ｄａ）が識別基準情報記憶部２０３ｃに設定・保存されている（未登録の追加金種はない）と判断されれば、ステップＳ３に進み、通常モードに移行して、硬貨識別動作実行部１１０により通常の一連の硬貨識別動作が実行される。ここでは、新金種追加モードが始まったばかりの段階であるから、追加金種Ｄａに対する識別基準情報Ａ１（Ｄａ）〜Ａｍ（Ｄａ）が識別基準情報記憶部２０３ｃに設定・保存されていない（未登録の追加金種がある）と判断され、したがって、ステップＳ２から次のステップＳ４に進む。
【０１５２】
ステップＳ１及びＳ２における識別基準情報記憶部２０３ｃの調査と未登録の追加金種の有無の判断は、ここでは、識別基準情報記憶部２０３ｃの所定の記憶領域（アドレス）を探索（検査）することによって行われる。つまり、現行金種Ｄｃ（ここでは５つの金種Ｄ１〜Ｄ５）の各々に対する識別基準情報Ａ１（Ｄｃ）〜Ａｋ（Ｄｃ）は、硬貨識別装置２００（硬貨入出金装置３００）の出荷時にすでに設定されており、識別基準情報記憶部２０３ｃの所定の記憶領域（アドレス）にそれぞれ保存されている。また、出荷後（運用開始後）に新たに追加される追加金種Ｄａの識別基準情報Ａ１（Ｄａ）〜Ａｍ（Ｄａ）は、識別基準情報記憶部２０３ｃの現行金種Ｄｃに対する識別基準情報Ａ１（Ｄｃ）〜Ａｋ（Ｄｃ）とは異なる所定の記憶領域（アドレス）に個別に保存されるように構成されている。このため、追加金種Ｄａ用に割り当てられた識別基準情報Ａ１（Ｄａ）〜Ａｍ（Ｄａ）の記憶領域（アドレス）の全体を探索することで、これらの記憶領域の各々に何らかの情報（値）が保存されているか否かは容易に判明する。よって、追加金種Ｄａ用に割り当てられた識別基準情報Ａ１（Ｄａ）〜Ａｍ（Ｄａ）の記憶領域の全体を探索するだけで、いくつの追加金種Ｄａに対して識別基準情報Ａ１（Ｄａ）〜Ａｍ（Ｄａ）が設定・保存されているかの判断が可能である。
【０１５３】
次のステップＳ４では、ターゲット金種Ｄｔが指定される。ターゲット金種Ｄｔは、現行金種Ｄｃの中から任意に選択・指定された１つあるいは複数の金種である。ターゲット金種Ｄｔは、必要に応じて、任意に設定可能であるから、ここでは、１番目の現行金種Ｄｃ１がターゲット金種Ｄｔに指定されたものと仮定する。なお、ターゲット金種Ｄｔは１つに限定されるものではなく、ターゲット金種Ｄｔを２個以上設定してもよい。ターゲット金種Ｄｔを２個以上設定した場合は、複数のターゲット金種Ｄｔを１個ずつ、順次切り換えながら処理が行われる。
【０１５４】
次のステップＳ５では、ｎ番目の追加金種Ｄａｎのｍ番目の識別基準情報Ａｍ（Ｄａｎ）が選択される。ここでは、追加されるのは追加金種Ｄ６及びＤ７で、追加金種の総数が２であるから、ｎは１から２までの整数である。また、追加金種Ｄ６及びＤ７の各々が持つ識別基準情報の総数が１０であるから、ｍは１から１０までの整数となる。ステップＳ５が最初に実行される時は、ｎ＝１、ｍ＝１に設定されるので、ステップＳ５では、１番目の追加金種Ｄ６の１番目の識別基準情報Ａ１（Ｄ６）が選択される。
【０１５５】
次のステップＳ６では、ステップＳ５で選択されたｎ番目の追加金種Ｄａｎのｍ番目の識別基準情報Ａｍ（Ｄａ）が算出される。ここでは、ｎ＝１、ｍ＝１であるから、１番目の追加金種Ｄ６の１番目の識別基準情報Ａ１（Ｄ６）が算出される。この算出は、以下の数式（１）を用いて、追加金種識別基準情報算出部１０３によって実行される。
【０１５６】
Ａ１（Ｄ６）  ＝  Ａ１（Ｄ１）×  Ｃ          （１）
ただし、Ａ１（Ｄ１）は、ターゲット金種である現行金種Ｄ１の１番目の識別基準情報であり、Ｃは次の数式（２）によって与えられる係数である。
【０１５７】
Ｃ  ＝  Ｚ１（Ｄ６）／Ｙ１（Ｄ１）            （２）
数式（２）において、Ｚ１（Ｄ６）は追加金種Ｄ６の１番目の追加金種規範情報であり、Ｙ１（Ｄ１）はターゲット金種である現行金種Ｄ１の１番目のターゲット金種規範情報である。
【０１５８】
図６及び図７は、硬貨３０の材質を検出する第１硬貨センサ２０ａからの出力信号波形を示す。図６及び図７では、１番目の追加金種Ｄ６の出力信号波形は、一点鎖線で描かれた波形（最も上の波形）で表され、１番目の追加金種Ｄ６の１番目の識別基準情報Ａ１（Ｄ６）は、その波形の極小値の点Ａｘで与えられる。ターゲット金種である現行金種Ｄ１の出力信号波形は、実線で描かれた波形（最も下の波形）で表され、現行金種Ｄ１の１番目の識別基準情報Ａ１（Ｄ１）は、その波形の極小値の点Ａｋ１で与えられる。したがって、ＡｘとＡｋ１の関係は、上記数式（１）から
Ａｘ＝Ｃ×Ａｋ１＝（Ａｘ_０／Ａｋ１_０）×Ａｋ１          （３）
となる。ただし、追加金種Ｄ６の１番目の追加金種規範情報をＡｘ_０、ターゲット金種である現行金種Ｄ１の１番目のターゲット金種規範情報をＡｋ１_０としている。
【０１５９】
図６及び図７において点線で描かれた波形（中央の波形）は、現行金種Ｄ１に代えて、ターゲット金種として現行金種Ｄ３が指定された場合を示している。この場合は、ターゲット金種である現行金種Ｄ３の１番目の識別基準情報Ａ１（Ｄ３）は、その波形の極小値の点Ａｋ３で与えられる。したがって、ＡｘとＡｋ３の関係は、上記数式（１）〜（３）から
Ａｘ＝Ｃ×Ａｋ３＝（Ａｘ_０／Ａｋ３_０）×Ａｋ３          （４）
で与えられる。
【０１６０】
ＡｘとＡｋ１の差よりもＡｘとＡｋ３の差の方が小さいので、１番目の追加金種Ｄ６の１番目の識別基準情報Ａ１（Ｄ６）の値Ａｘは、現行金種Ｄ１よりも現行金種Ｄ３をターゲット金種として指定する方が、既設の硬貨識別装置２００における値と標準機における値との誤差が小さくて済むことが分かる。つまり、現行金種Ｄ１〜Ｄ５の中からターゲット金種として指定する際には、ターゲット金種として指定した現行金種Ｄｃの識別基準情報Ａ１（Ｄｃ）〜Ａｋ（Ｄｃ）の値と、求めている追加金種Ｄａの識別基準情報Ａ１（Ｄａ）〜Ａｎ（Ｄａ）の値との差が、できるだけ小さくなるように選定するのが好ましいことが分かる。
【０１６１】
図７の右側に示した波形図は、個体バラツキによって硬貨センサの出力電圧が上昇した場合の波形の変化を示している。この場合、１番目の追加金種Ｄ６の１番目の識別基準情報Ａ１（Ｄ６）の値Ａｘは、硬貨センサの出力電圧の上昇に伴って増加しており、図７の左側に示した波形図での値Ａｘよりも大きくなっている。その結果、ＡｘとＡｋ１の差は、ＡｘとＡｋ３の差よりも拡大している。したがって、この点を考えても、現行金種Ｄ１よりも現行金種Ｄ３をターゲット金種として指定する方が好ましいことが分かる。
【０１６２】
次のステップＳ７では、ステップＳ６で算出された、ｎ番目の追加金種Ｄａｎのｍ番目の識別基準情報Ａｍ（Ｄａ）が識別基準情報記憶部２０３ｃに保存される。ここでは、ｎ＝１、ｍ＝１であるから、１番目の追加金種Ｄ６の１番目の識別基準情報Ａ１（Ｄ６）が識別基準情報記憶部２０３ｃに保存される。そして、こうして算出・保存された１番目の追加金種Ｄ６の１番目の識別基準情報Ａ１（Ｄ６）が、硬貨識別動作実行部１１０で実際に使用されるように、真贋識別部１１３及び金種識別部１１４が設定される。この保存と設定は、追加金種識別基準情報設定部１０４によって実行される。
【０１６３】
次のステップＳ８では、ｎ番目の追加金種Ｄａｎの全ての識別基準情報Ａ１（Ｄａｎ）〜Ａｍ（Ｄａｎ）が識別基準情報記憶部２０３ｃに保存されたか否かが判断される。ここでは、ｎ＝１であるから、１番目の追加金種Ｄ６の全て（ここでは１０個）の識別基準情報Ａ１（Ｄ６）〜Ａ１０（Ｄ６）が識別基準情報記憶部２０３ｃに保存されたか否が判断される。この判断は、状態判定部１０１により実行される。その結果、追加金種Ｄａの全ての識別基準情報Ａ１（Ｄａ）〜Ａｍ（Ｄａ）が識別基準情報記憶部２０３ｃに保存されていないと判断された場合は、ｍの値を１だけ増加させて、つまりｍ＝２に設定して（ステップＳ９）から、ステップＳ６の直前に戻り、ステップＳ６〜Ｓ８を繰り返す。
【０１６４】
すなわち、ステップＳ６では、上述した数式（１）を用いて、１番目の追加金種Ｄ６の２番目の識別基準情報Ａ２（Ｄ６）が算出される。ステップＳ７では、ステップＳ６で算出された、１番目の追加金種Ｄ６の２番目の識別基準情報Ａ２（Ｄ６）が、識別基準情報記憶部２０３ｃに保存される。そして、こうして算出・保存された１番目の追加金種Ｄ６の２番目の識別基準情報Ａ２（Ｄ６）が硬貨識別動作実行部１１０で実際に使用されるように、真贋識別部１１３及び金種識別部１１４が設定される。
【０１６５】
次のステップＳ８では、１番目の追加金種Ｄ６の全ての識別基準情報Ａ１（Ｄ６）〜Ａ１０（Ｄ６）が識別基準情報記憶部２０３ｃに保存されたか否かが判断される。その結果、全ての識別基準情報Ａ１（Ｄ６）〜Ａ１０（Ｄ６）が識別基準情報記憶部２０３ｃに保存されていないと判断された場合は、ｍの値をさらに１だけ増加させて（ステップＳ９）、つまりｍ＝３に設定してから、ステップＳ６の直前に戻り、ステップＳ６〜Ｓ８を繰り返す。
【０１６６】
以後、同様にして、ステップＳ６〜Ｓ８が合計１０回繰り返されると、ｍ＝１０となり、ステップＳ８において、１番目の追加金種Ｄ６の全ての識別基準情報Ａ１（Ｄ６）〜Ａ１０（Ｄ６）が識別基準情報記憶部２０３ｃに保存された、と判断されるから、次のステップＳ１０に進む。
【０１６７】
ステップＳ１０では、ｎの値を１だけ増加させて、つまりｎ＝２に設定してから、ステップＳ１の直前に戻り、ステップＳ１〜Ｓ８を繰り返す。
【０１６８】
ステップＳ１では、硬貨識別装置２００の記憶部２０３の識別基準情報記憶部２０３ｃが再び調査され、ステップＳ２では、未登録の追加金種があるか否か、換言すれば、追加金種Ｄ６及びＤ７に対する識別基準情報が識別基準情報記憶部２０３ｃに設定・保存されているか否かが、再び判断される。ここでは、追加金種Ｄ６に対する識別基準情報のみが識別基準情報記憶部２０３ｃに設定・保存されただけであるから、未登録の追加金種があると判断され、次のステップＳ４に進む。
【０１６９】
ステップＳ４では、既に１番目の金種Ｄ１がターゲット金種に指定されているから、そのまま次のステップＳ５に進み、ｎ＝２、ｍ＝１であるから、２番目の追加金種Ｄ７の１番目の識別基準情報Ａ１（Ｄ７）が選択される。次のステップＳ６では、ｎ＝２、ｍ＝１であるから、２番目の追加金種Ｄ７の１番目の識別基準情報Ａ１（Ｄ７）が、上記数式（１）を用いて算出される。
【０１７０】
次のステップＳ７では、２番目の追加金種Ｄ７の１番目の識別基準情報Ａ１（Ｄ７）が識別基準情報記憶部２０３ｃに保存される。そして、こうして算出・保存された２番目の追加金種Ｄ７の１番目の識別基準情報Ａ１（Ｄ７）が硬貨識別動作実行部１１０で実際に使用されるように、真贋識別部１１３及び金種識別部１１４が設定される。
【０１７１】
次のステップＳ８では、２番目の追加金種Ｄ７の全ての識別基準情報Ａ１（Ｄ７）〜Ａ１０（Ｄ７）が識別基準情報記憶部２０３ｃに保存されたか否かが判断される。その結果、全ての識別基準情報Ａ１（Ｄ７）〜Ａ１０（Ｄ７）が識別基準情報記憶部２０３ｃに保存されていないと判断された場合は、ｍの値を１だけ増加させて、つまりｍ＝２に設定して（ステップＳ９）から、ステップＳ６の直前に戻り、ステップＳ６〜Ｓ８を繰り返す。
【０１７２】
すなわち、ステップＳ６では、上述した数式（１）を用いて、２番目の追加金種Ｄ７の２番目の識別基準情報Ａ２（Ｄ７）が算出される。ステップＳ７では、ステップＳ６で算出された、２番目の追加金種Ｄ７の２番目の識別基準情報Ａ２（Ｄ７）が、識別基準情報記憶部２０３ｃに保存される。そして、こうして算出・保存された２番目の追加金種Ｄ７の２番目の識別基準情報Ａ２（Ｄ７）が硬貨識別動作実行部１１０で実際に使用されるように、真贋識別部１１３及び金種識別部１１４が設定される。
【０１７３】
次のステップＳ８では、２番目の追加金種Ｄ７の全ての識別基準情報Ａ１（Ｄ７）〜Ａ１０（Ｄ７）が識別基準情報記憶部２０３ｃに保存されたか否かが判断される。その結果、全ての識別基準情報Ａ１（Ｄ７）〜Ａ１０（Ｄ７）が識別基準情報記憶部２０３ｃに保存されていないと判断された場合は、ｍの値をさらに１だけ増加させて（ステップＳ９）、つまりｍ＝３に設定してから、ステップＳ６の直前に戻り、ステップＳ６〜Ｓ８を繰り返す。
【０１７４】
以後、同様にして、ステップＳ６〜Ｓ８が合計１０回繰り返されると、ｍ＝１０となり、ステップＳ８において、２番目の追加金種Ｄ７の全ての識別基準情報Ａ１（Ｄ７）〜Ａ１０（Ｄ７）が識別基準情報記憶部２０３ｃに保存された、と判断されるから、次のステップＳ１０に進む。
【０１７５】
ステップＳ１０では、ｎの値を１だけ増加させて、つまりｎ＝３に設定してから、ステップＳ１の直前に戻り、ステップＳ１以降を実行する。
【０１７６】
ステップＳ１では、硬貨識別装置２００の記憶部２０３の識別基準情報記憶部２０３ｃが再び調査され、ステップＳ２では、未登録の追加金種があるか否か、換言すれば、追加金種Ｄ６及びＤ７に対する識別基準情報Ａ１（Ｄ６）〜Ａ１０（Ｄ６）及びＡ１（Ｄ７）〜Ａ１０（Ｄ７）が識別基準情報記憶部２０３ｃに設定・保存されているか否かが再び判断されるが、ここでは、２つの追加金種Ｄ６及びＤ７に対する識別基準情報Ａ１（Ｄ６）〜Ａ１０（Ｄ６）及びＡ１（Ｄ７）〜Ａ１０（Ｄ７）が識別基準情報記憶部２０３ｃに設定・保存されたため、未登録の追加金種がないと判断される。その結果、新金種追加モードが終了し、硬貨識別システム１００Ａの動作モードは、通常モードに切り換えられて、硬貨識別動作実行部１１０により通常の硬貨識別動作が開始される（ステップＳ３）。
【０１７７】
なお、識別基準情報記憶部２０３ｃにはもはや未登録の追加金種がないと判断されて、新金種追加モードが終了した時には、追加金種識別基準情報設定部１０４により、硬貨識別動作実行部１１０（硬貨識別装置２００）が追加金種Ｄ６及びＤ７の識別基準情報を用いて真贋識別と金種識別とを行なうように設定される。
【０１７８】
（硬貨識別動作実行部１１０の通常モードの動作）
続いて、硬貨識別動作実行部１１０の通常モードの動作について説明する。通常モードは、硬貨入出金装置３００の日常的な運用時に使用されるものであり、図２に示した硬貨識別動作実行部１１０によって実現される。その動作フローは図１３のフローチャートに示すとおりである。
【０１７９】
最初に、１個の硬貨３０の到着が検出されると、センサ情報取得部１１１により、第１、第２及び第３の硬貨センサ２０ａ、２０ｂ及び２０ｃから出力される第１、第２及び第３のセンサ情報が取得されたか否かが判断される（ステップＳ１１）。取得されたと判断されると、センサ情報取得部１１１により、取得された第１〜第３のセンサ情報が記憶部２０３のセンサ情報記憶部２０３Ａに一時的に保存される。取得されていないと判断されると、ステップＳ１１の直前に戻り、所定時間の経過後、再度、上記と同じ判断がされる。なお、センサ情報取得部１１１は、これらセンサ情報が到来すると自動的に取得するように構成されており、また、ステップＳ１１の判断は所定時間毎に行われるので、ステップＳ１１はこれらセンサ情報の到来を常時待機するステップと言うことができる。
【０１８０】
次のステップＳ１２では、固有情報抽出部１１２により、センサ情報記憶部２０３ａから先ほど保存された第１〜第３のセンサ情報が読み出され、それらセンサ情報から所定の方法で所定数（例えば１０個）の固有情報が抽出される。ここで、「固有情報」とは、硬貨識別（つまり硬貨３０の真贋識別と金種識別）に使用される情報である。例えば、前記抽出方法が「各センサ情報の極小値を抽出する」というものであれば、時間と共に変動する第１〜第３のセンサ情報の電圧値の極小値が抽出されて、それら極小値がそれぞれ所定数の固有情報のうちの１つとされる。この場合、第１〜第３のセンサ情報である波形信号Ｗａ、Ｗｂ及びＷｃの振幅（電圧）の極小値は、図５の点Ａ、Ｂ及びＣにおける電圧値となる。こうして固有情報抽出部１１２により抽出された所定数の固有情報は、記憶部２０３の固有情報記憶部２０３ｂに一時的に保存される。
【０１８１】
ステップＳ１３では、真贋識別部１１３により、固有情報記憶部２０３ｃから先ほど保存された所定数（例えば１０個）の固有情報を読み出すと共に、記憶部２０３の識別基準情報記憶部２０３ｃに予め保存されている所定数（例えば１０個）の識別基準情報を読み出して、当該固有情報と当該識別基準情報とをそれぞれ比較し、現在の識別対象とされた（つまり直近で第１、第２及び第３の硬貨センサ２０ａ、２０ｂ及び２０ｃに検出された）硬貨３０が真正硬貨であるか、偽造硬貨であるかを判断する（真贋識別）。例えば、当該硬貨３０の所定数の固有情報の各々が、現行金種Ｄ１〜Ｄ５及び追加金種Ｄ６及びＤ７の各々について設定された所定数の識別基準情報のいずれかの下限値と上限値の間の範囲内（下限値と上限値を含む）にあれば、真正硬貨と判断される。当該硬貨３０の所定数の固有情報のいずれかが、現行金種Ｄ１〜Ｄ５及び追加金種Ｄ６及びＤ７のいずれかに係る所定数の識別基準情報の下限値と上限値の間の範囲内（下限値と上限値を含む）になければ、偽造硬貨と判断される。この真贋識別（ステップＳ１３での判断）により、偽造硬貨であると判断されると、当該硬貨３０は所定の硬貨排出処理（ステップＳ１７）を通じて、硬貨入出金装置３００の外部（例えば出金トレイ）に排出される。その後、ステップＳ１１の直前に戻り、次に識別対象とされた硬貨３０に対してステップＳ１１〜Ｓ１３の処理を行う。真正硬貨であると判断されると、次のステップＳ１４に進む。
【０１８２】
ステップＳ１４では、金種識別部１１４により、固有情報記憶部２０３ｃから読み出された識別対象の硬貨３０の所定数の固有情報を、識別基準情報記憶部２０３ａから読み出された現行金種Ｄ１〜Ｄ５及び追加金種Ｄ６及びＤ７の所定数の識別基準情報とそれぞれ比較して、対象となっている硬貨３０がどの金種であるかを判断する（金種識別）。例えば、当該硬貨３０の所定数の固有情報の各々が、現行金種Ｄ１〜Ｄ５及び追加金種Ｄ６及びＤ７のいずれかに係る所定数の識別基準情報の下限値と上限値の間の範囲内（下限値と上限値を含む）にあると判断されたその金種が、当該硬貨３０の金種であると判断される。こうして金種識別が終了すると、ステップＳ１５に進む。
【０１８３】
ステップＳ１４で対象となっている硬貨３０は、ステップＳ１３の真贋識別における処理によって既に真正硬貨と判断されている。このため、例えば、ステップＳ１３の説明で上述したように、ステップＳ１３において、当該硬貨３０の所定数の固有情報の各々が、特定の１つの金種に対して設定された所定数の識別基準情報の下限値と上限値の間の範囲内（下限値と上限値を含む）にあることが判明している。よって、ステップＳ１３の真贋識別の途中経過から当該硬貨３０の金種を直ちに知ることができる。このため、固有情報記憶部２０３ｂから読み出した所定数の固有情報を、識別基準情報記憶部２０３ｃから読み出した所定数の識別基準情報とそれぞれ比較する必要がなく、効率的である。このように、ステップＳ１３とＳ１４の真贋識別と金種識別とを一括して実施するようにしてもよい。
【０１８４】
そして、識別対象の硬貨３０の所定数の固有情報のいずれかが、現行金種Ｄ１〜Ｄ５のいずれかに係る所定数の識別基準情報の下限値と上限値の間の範囲内（下限値と上限値を含む）にないと判断されると、当該硬貨３０は偽造硬貨と判断される。逆に、当該硬貨３０の所定数の固有情報の各々が、現行金種Ｄ１〜Ｄ５及び追加金種Ｄ６及びＤ７のいずれかに係る上述した所定数の識別基準情報の下限値と上限値の間の範囲内（下限値と上限値を含む）にあると判断されると、真正硬貨と判断される（ステップＳ１３）。そして、この判断過程で、所定数の固有情報の各々が、上述した所定数の識別基準情報の下限値と上限値の間の範囲内（下限値と上限値を含む）にあると判断されたその金種が、当該硬貨３０の金種であると判断される（ステップＳ１４）。
【０１８５】
ステップＳ１５では、ステップＳ１３及びＳ１４での真贋識別と金種識別に対応した真贋信号と金種信号が、真贋識別部１１３と金種識別部１１４によって、硬貨入出金装置３００の硬貨振分部３０２に向けてそれぞれ出力される。硬貨振分部３０２は、受信した真贋信号と金種信号の内容に応じて、硬貨３０の振分動作を実行する。
【０１８６】
次のステップＳ１６では、現在識別対象となっている硬貨３０に対して後続の硬貨３０があるか否かを判断する。後続の硬貨３０がある場合は、ステップＳ１１の直前に戻り、ステップＳ１１以降の処理を繰り返す。後続の硬貨３０がない場合は、硬貨識別処理を終了し、次にセンサ情報が到来するのを待機する。後続の硬貨３０があるか否かの判断は、例えば、後続の硬貨３０に係る第１〜第３のセンサ信号の到来をセンサ情報取得部１１１で検出することで、容易に行うことができる。
【０１８７】
硬貨入出金装置３００の日常運転で使用される通常モードでは、以上のようにして、対象となる個々の硬貨３０の真贋識別と金種識別が順次行われる。
【０１８８】
（実現形態）
次に、以上の構成と機能を有する本発明の第１実施形態に係る識別基準情報設定システム１００と硬貨識別動作実行部１１０の実現形態について説明する。
【０１８９】
本発明の識別基準情報設定システム１００と硬貨識別動作実行部１１０は、いずれも、ソフトウェア（ファームウェア）のみで構成してもよいし、ソフトウェアとハードウェアの組み合わせとして構成してもよい。硬貨識別装置２００の制御部２１０に組み込みが可能であれば、任意の形態として実現可能である。しかし、ソフトウェア（ファームウェア）のみで構成するのが好ましい。
【０１９０】
図１６（ａ）に示すように、識別基準情報設定システム１００と硬貨識別動作実行部１１０をそれぞれソフトウェアのみで構成して、硬貨識別装置２００を制御するための硬貨識別システム１００Ａをファームウェアの形式で作成すれば、例えば、ファームウェア形式の硬貨識別システム１００Ａを、例えば硬貨入出金装置３００の管理者にインターネットを介してダウンロードしてもらい、さらに既存のファームウェアに上書きインストールしてもらうことで、既存の硬貨識別装置２００の制御部２１０に硬貨識別システム１００Ａを容易に組み込むことができる。（制御部２１０のファームウェアが格納される部分は、通常、ＥＥＰＲＯＭ等の書き換え可能な記憶装置で構成されているから、実現に支障はない。）このようにして、硬貨識別システム１００Ａが既存の硬貨識別装置２００の制御部２１０に組み込まれると、直ちに識別基準情報設定システム１００が自動的に起動して図１２に示した一連の動作をするように、システム更新制御部１０５に予め設定しておくだけで、新金種追加モードが自動実行され、新金種追加モードが終了してから、通常の真贋識別と金種識別が実行されるようになる。
【０１９１】
あるいは、硬貨入出金装置３００をインターネットに常時接続しておき、硬貨入出金装置３００の提供者側から、インターネットを介して、ファームウェア形式とされた硬貨識別システム１００Ａの自動ダウンロードと既存ファームウェアへの上書きインストールの自動実行のための指令を、硬貨識別システム１００Ａのシステム更新制御部１０５に予め書き込んでおいてもよい。この場合は、管理者の手を患わせることなく、直ちに新金種追加モードが自動実行され、新金種追加モードが終了してから、通常の真贋識別と金種識別が実行されるようになる。この方式が最も簡便である。
【０１９２】
さらに、上述した硬貨識別システム１００Ａをハードウェアとソフトウェアの組み合わせよりなるユニット又はチップとして構成してもよい。つまり、ソフトウェアが書き込まれたハードウェアとしてのユニット又はチップとして構成してもよい。ただし、この場合は、当該ユニット又はチップの送付が別途必要になる点と、管理者等によって当該ユニット又はチップを交換してもらうことが必要になる点で、全体をソフトウェア（ファームウェア）形式とする上記の場合より少し不便である。
【０１９３】
既設の硬貨入出金装置３００において、硬貨識別装置２００の制御部２１０に硬貨識別システム１００Ａがいったん組み込まれると、更新されたファームウェア形式の硬貨識別システム１００Ａも、システム更新制御部１０５の機能によって自動ダウンロードと既存ファームウェアへの上書きインストールが自動実行されるようになる。このため、その後に、任意の金種に対する識別基準情報の追加設定が必要になっても、ファームウェア形式とした硬貨識別システム１００Ａを自動更新と既存ファームウェアへの上書きインストールの自動実行が指令されるように構成することで、識別対象となる金種の追加設定が随時可能となる。
【０１９４】
図１６（ａ）に示すように、識別基準情報設定システム１００の機能と硬貨識別動作実行部１１０の機能を組み込んで、硬貨識別システム１００Ａを単一のソフトウェア（ファームウェア）として実現するのではなく、図１６（ｂ）に示すように、識別基準情報設定システム１００と硬貨識別動作実行部１１０をそれぞれソフトウェアのみで別個に構成して、両方のソフトウェアの協働によって硬貨識別システム１００Ａの機能を実現するようにしてもよい。こうすると、例えば、識別基準情報設定システム１００のソフトウェア（ファームウェア）だけを先に上書きインストールし、その後、硬貨識別動作実行部１１０のソフトウェア（ファームウェア）を上書きインストールすることで、二段階インストールが可能となる、という利点がある。この場合、識別基準情報設定システム１００のソフトウェア（ファームウェア）の上書きインストールによって、上述した追加金種Ｄａの識別基準情報Ａ１（Ｄａ）〜Ａｍ（Ｄａ）を得るための算出プログラムとそれを実行するために必要な一組のパラメータを、硬貨識別装置２００の追加金種規範情報記憶部２０３ｄ、ターゲット金種規範情報記憶部２０３ｅ、パラメータ情報記憶部２０３ｆに記憶させることが可能となるから、続いて、インストールしたこのソフトウェア（ファームウェア）を実行することで、上述した追加金種Ｄａの識別基準情報Ａ１（Ｄａ）〜Ａｍ（Ｄａ）を自動的に算出・保存することができる。硬貨識別動作実行部１１０のソフトウェア（ファームウェア）の上書きインストールは、こうして追加金種Ｄａの識別基準情報Ａ１（Ｄａ）〜Ａｍ（Ｄａ）が算出・保存された後に実行すればよい。
【０１９５】
なお、本発明の識別基準情報設定方法は、上述した識別基準情報設定システム１００によって実行される方法に該当する。また、本発明の識別基準情報設定プログラムは、上述した識別基準情報設定システム１００によって実行される方法（本発明の識別基準情報設定方法）を実行するプログラム、あるいは、上述した識別基準情報設定システム１００の各機能を実現するプログラムである。これらプログラムの形態は特に限定されず、上述したファームウェアの形態でもよいし、ファームウェア以外の形態でもよい。硬貨識別装置２００の制御部２１０に組み込み可能であれば、任意の形態のプログラムとすることが可能である。
【０１９６】
（識別基準情報設定システム１００による効果）
以上詳細に述べたように、本発明の第１実施形態に係る識別基準情報設定システム１００では、３つの硬貨センサ２０ａ、２０ｂ及び２０ｃが出力する３つのセンサ情報を用いて硬貨３０の真贋識別と金種識別とを行なう硬貨識別装置２００において、
現行金種Ｄｃ（例えばＤ１〜Ｄ５）の識別基準情報Ａ１（Ｄｃ）〜Ａｋ（Ｄｃ）が保存されている硬貨識別装置２００の識別基準情報記憶部２０３ｃに、追加金種Ｄａ（例えばＤ６及びＤ７）の識別基準情報Ａ１（Ｄａ）〜Ａｎ（Ｄａ）が保存されているかどうかを調査して判断する状態判定部１０１と、
追加金種Ｄａの識別基準情報Ａ１（Ｄａ）〜Ａｎ（Ｄａ）が保存されていない場合に、現行金種Ｄｃの中からターゲット金種Ｄｔを指定するターゲット金種指定部１０２と、
ターゲット金種Ｄｔの識別基準情報に係るターゲット金種規範情報Ｙ（Ｄｔ１）〜Ｙ（Ｄｔｕ）を記憶するターゲット金種規範情報記憶部２０３ｅと、
追加金種Ｄａの識別基準情報に係る追加金種規範情報Ｚ（Ｄａ１）〜Ｚ（Ｄａｎ）を記憶する追加金種規範情報記憶部２０３ｄと、
ターゲット金種Ｄｔの識別基準情報と、ターゲット金種Ｄｔの識別基準情報Ａ１（Ｄｔ）〜Ａｎ（Ｄｔ）に係るターゲット金種規範情報Ｙ（Ｄｔ１）〜Ｙ（Ｄｔｕ）と、追加金種Ｄａの識別基準情報Ａ１（Ｄａ）〜Ａｎ（Ｄａ）に係る追加金種規範情報Ｚ（Ｄａ１）〜Ｚ（Ｄａｎ）とに基づいて、追加金種Ｄａの識別基準情報Ａ１（Ｄａ）〜Ａｎ（Ｄａ）を算出し、識別基準情報記憶部２０３ｃに記憶する追加金種識別基準情報算出部１０３と、
算出した追加金種Ｄａの識別基準情報Ａ１（Ｄａ）〜Ａｎ（Ｄａ）を、硬貨識別装置２００が追加金種Ｄａの真贋識別と金種識別とを行なうように設定する追加金種識別情報設定部１０４とを備えている。
【０１９７】
このように、識別基準情報設定システム１００では、現行金種Ｄｃの中から指定されたターゲット金種Ｄｔの識別基準情報に係るターゲット金種規範情報Ｙ（Ｄｔ１）〜Ｙ（Ｄｔｕ）と、追加金種Ｄａの識別基準情報に係る追加金種規範情報Ｚ（Ｄａ１）〜Ｚ（Ｄａｎ）との比（規範情報比）｛Ｙ（Ｄｔ）／Ｚ（Ｄａ）｝を算出して、その規範情報比｛Ｙ（Ｄｔ）／Ｚ（Ｄａ）｝をターゲット金種Ｄｔの識別基準情報と乗算することによって、追加金種Ｄａの識別基準情報Ａ１（Ｄａ）〜Ａｎ（Ｄａ）を算出する。規範情報比｛Ｙ（Ｄｔ）／Ｚ（Ｄａ）｝は、硬貨識別装置２００において現行金種Ｄｃ及び追加金種Ｄａについての識別基準情報Ａ１（Ｄｃ）〜Ａｋ（Ｄｃ）及びＡ１（Ｄａ）〜Ａｎ（Ｄａ）を設定する際に、それら識別基準情報の「規範（拠るべき規準）」となる情報を設定するための装置（前記硬貨識別装置の標準装置）における、ターゲット金種Ｄｔの識別基準情報Ａ１（Ｄｔ）〜Ａｎ（Ｄｔ）と追加金種Ｄａの識別基準情報Ａ１（Ｄａ）〜Ａｎ（Ｄａ）との比を示している。他方、「規範情報比｛Ｙ（Ｄｔ）／Ｚ（Ｄａ）｝は既設の硬貨識別装置２００においても保持されているはず」という類推が成り立つことを考慮すると、規範情報比｛Ｙ（Ｄｔ）／Ｚ（Ｄａ）｝をターゲット金種Ｄｔの識別基準情報Ａ１（Ｄｔ）〜Ａｎ（Ｄｔ）と乗算することで、追加金種Ｄａの識別基準情報Ａ１（Ｄａ）〜Ａｎ（Ｄａ）を算出することができる。
【０１９８】
ターゲット金種規範情報Ｙ（Ｄｔ１）〜Ｙ（Ｄｔｕ）は、ターゲット金種Ｄｔとして指定された既存金種Ｄｃの識別基準情報Ａ１（Ｄｃ）〜Ａｋ（Ｄｃ）の規範（拠るべき規準）となる識別基準情報であって、上述した硬貨識別装置２００の標準機から得られる。また、追加金種規範情報Ｚ（Ｄａ１）〜Ｚ（Ｄａｎ）は、追加金種Ｄａの識別基準情報Ａ１（Ｄａ）〜Ａｎ（Ｄａ）の規範となる識別基準情報であって、やはり、前記標準機から得られる。前記標準機は、硬貨識別装置２００の製造企業であれば当然、社内に設置しているから、ターゲット金種規範情報Ｙ（Ｄｔ１）〜Ｙ（Ｄｔｕ）と追加金種規範情報Ｚ（Ｄａ１）〜Ｚ（Ｄａｎ）を予め入手することは容易であるし、入手したターゲット金種規範情報Ｙ（Ｄｔ１）〜Ｙ（Ｄｔｕ）と追加金種規範情報Ｚ（Ｄａ１）〜Ｚ（Ｄａｎ）を硬貨識別装置２００に組み込まれる制御プログラム（ファームウェア）の中に埋め込むことも容易である。また、規範情報比｛Ｙ（Ｄｔ）／Ｚ（Ｄａ）｝をターゲット金種Ｄｔの識別基準情報と乗算する上記数式（１）と、ターゲット金種規範情報Ｙ（Ｄｔ１）〜Ｙ（Ｄｔｕ）及び追加金種規範情報Ｙ（Ｄｔ１）〜Ｙ（Ｄｔｕ）を、硬貨識別装置２００の識別基準情報記憶部２０３ｃに記憶させることも容易である。そこで、前記制御プログラムを硬貨識別装置２００の制御部２１０に組み込んでから実行させれば、追加金種Ｄａの識別基準情報Ａ１（Ｄａ）〜Ａｎ（Ｄａ）が算出されて識別基準情報記憶部２０３ｃに記憶（追加設定）される。
【０１９９】
よって、担当者が既設の硬貨識別装置２００の設置場所に出向いて同装置２００に内蔵されている硬貨識別システム１００Ａを交換する作業や、既設の硬貨識別装置２００に手動で追加金種Ｄａ用の識別基準情報Ａ１（Ｄａ）〜Ａｎ（Ｄａ）を追加設定する作業をすることなく、既設の硬貨識別装置２００に追加金種Ｄａ用の識別基準情報Ａ１（Ｄａ）〜Ａｎ（Ｄａ）を追加設定することができる。これは、既設の硬貨識別装置２００に組み込んである制御プログラム（ファームウェア）を更新する作業を行うだけで、追加金種Ｄａ用の識別基準情報Ａ１（Ｄａ）〜Ａｎ（Ｄａ）を追加設定可能であることを意味するものである。
【０２００】
（第２実施形態）
続いて、本発明の第２実施形態に係る識別基準情報設定システムについて説明する。
【０２０１】
第２実施形態に係る識別基準情報設定システムの構成及び動作は、図１２のステップＳ６で実行される追加金種Ｄａの所定数の識別基準情報の算出方法が異なるほかは、上述した本発明の第１実施形態に係る識別基準情報設定システム１００と同じである。よって、上述した本発明の第１実施形態とは異なる点についてのみ説明し、共通する部分についての説明は省略する。
【０２０２】
第２実施形態では、１番目の追加金種Ｄ６の１番目の識別基準情報Ａ１（Ｄ６）は、以下の数式（５）によって与えられる。ただし、追加金種Ｄ６の１番目の規範情報（追加金種規範情報）をＡｘ_０、ターゲット金種である現行金種Ｄ１の規範情報（ターゲット金種規範情報）をＡｋ１_０、前記基準機で得られた、硬貨３０が硬貨センサ３０を通過していない時の電圧をＶ０_０、前記硬貨識別装置２００で得られた、硬貨３０が硬貨センサ３０を通過していない時の電圧をＶ０、さらに、Ｖ１＝Ｖ０_０−Ａｘ_０、Ｖ２＝Ｖ０_０−Ａｋ１_０とする。
【０２０３】
Ａｘ＝Ｖ０−｛（Ｖ０−Ａｋ１）×（Ｖ１／Ｖ２）｝          （５）
図８及び図９は、第２実施形態における、硬貨３０の材質を検出する第１硬貨センサ２０ａからの出力信号波形を示す。図８及び図９では、１番目の追加金種Ｄ６の出力信号波形は、一点鎖線で描かれた波形（中央の波形）で表され、１番目の追加金種Ｄ６の１番目の識別基準情報Ａ１（Ｄ６）は、その波形の極小値の点Ａｘで与えられる。また、ターゲット金種である現行金種Ｄ１の出力信号波形は、実線で描かれた波形（最も下の波形）で表され、現行金種Ｄ１の１番目の識別基準情報Ａ１（Ｄ１）は、その波形の極小値の点Ａｋ１で与えられる。ターゲット金種として現行金種Ｄ３が指定された場合の出力信号波形は、点線で描かれた波形（最も上の波形）で表され、現行金種Ｄ３の１番目の識別基準情報Ａ１（Ｄ３）は、その波形の極小値の点Ａｋ３で与えられる。
【０２０４】
図９の右側に示した波形図は、個体バラツキによって硬貨センサの感度が向上した場合の波形の変化を示している。この場合、１番目の追加金種Ｄ６の１番目の識別基準情報Ａ１（Ｄ６）の値Ａｘは、硬貨センサの感度向上に伴ってほとんど変化せず、図９の左側に示した波形図での値Ａｘとほぼ同じである。これに対し、現行金種Ｄ１の１番目の識別基準情報Ａ１（Ｄ１）の値Ａｋ１は、大きく下降しており、現行金種Ｄ３の１番目の識別基準情報Ａ１（Ｄ３）の値Ａｋ３は、大きく上昇している。このため、現行金種Ｄ３の１番目の識別基準情報Ａ１（Ｄ３）の値Ａｋ３は、これらの識別情報をＡ／Ｄ変換できる範囲を超えてしまっているから、現行金種Ｄ３はターゲット金種としては指定できないことが分かる。他方、現行金種Ｄ１はターゲット金種としては指定できるが、１番目の追加金種Ｄ６の１番目の識別基準情報Ａ１（Ｄ６）の値Ａｘから大きくずれてしまっているので、現行金種Ｄ１をターゲット金種として使用するのは、やはり好ましくないことが分かる。
【０２０５】
第２実施形態の算出法によれば、上述した第１実施形態の算出法よりも、個体バラツキに起因する硬貨センサ２０ａ、２０ｂ及び２０ｃの感度バラツキの影響を抑制することが可能である。これは、前記基準機で得られた、硬貨３０が硬貨センサ３０を通過していない時の電圧（規範電圧）Ｖ０_０、前記硬貨識別装置２００で得られた、硬貨３０が硬貨センサ３０を通過していない時の電圧Ｖ０に加え、Ｖ１＝Ｖ０_０−Ａｘ_０、Ｖ２＝Ｖ０_０−Ａｋ１_０でそれぞれ与えられる電圧Ｖ１及びＶ２を用いているから、換言すれば、１番目の追加金種Ｄ６の１番目の識別基準情報Ａ１（Ｄ６）の値Ａｘを算出する際に、０電圧を基準とするのではなく、硬貨３０が硬貨センサ３０を通過していない時の電圧を基準としているためである。
【０２０６】
第２実施形態では、図１５に示したような形態で、パラメータ情報記憶部２０３ｆに、追加金種Ｄ６及びＤ７（金種番号６及び７）の識別基準情報の算出に使用される各種パラメータ情報を予め記憶させておけば、識別基準情報の算出はいっそう迅速に行えるようになる。また、図１５に示したように、複数の異なる算出法に使用されるパラメータ群を一括して保存しておくと、事情に応じて算出法を切り換えて使用することが可能となり、種々の事情に柔軟に対応できて、非常に便利である。
【０２０７】
（第３実施形態）
続いて、本発明の第３実施形態に係る識別基準情報設定システムについて説明する。
【０２０８】
第３実施形態に係る識別基準情報設定システムの構成及び動作は、図１２のステップＳ６で実行される追加金種Ｄａの所定数の識別基準情報の算出方法が異なるほかは、上述した本発明の第１実施形態に係る識別基準情報設定システム１００と同じである。よって、上述した本発明の第１実施形態とは異なる点についてのみ説明し、共通する部分についての説明は省略する。
【０２０９】
第３実施形態では、１番目の追加金種Ｄ６の１番目の識別基準情報Ａ１（Ｄ６）は、以下の数式（６）によって与えられる。ただし、追加金種Ｄ６の１番目の規範情報（追加金種規範情報）をＡｘ_０、ターゲット金種である現行金種Ｄ１の規範情報（ターゲット金種規範情報）をＡｋ１_０、ターゲット金種である現行金種Ｄ２の規範情報（ターゲット金種規範情報）をＡｋ２_０、さらに、Ｖ３＝Ａｘ_０−Ａｋ１_０、Ｖ４＝Ａｋ２_０−Ａｋ１_０とする。
【０２１０】
Ａｘ＝（Ａｋ２−Ａｋ１）×（Ｖ３／Ｖ４）｝＋Ａｋ１          （６）
図１０及び図１１は、第３実施形態における、硬貨３０の材質を検出する第１硬貨センサ２０ａからの出力信号波形を示す。図１０及び図１１では、１番目の追加金種Ｄ６の出力信号波形は、一点鎖線で描かれた波形（中央の波形）で表され、１番目の追加金種Ｄ６の１番目の識別基準情報Ａ１（Ｄ６）は、その波形の極小値の点Ａｘで与えられる。また、ターゲット金種である現行金種Ｄ１の出力信号波形は、実線で描かれた波形（最も下の波形）で表され、現行金種Ｄ１の１番目の識別基準情報Ａ１（Ｄ１）は、その波形の極小値の点Ａｋ１で与えられる。ターゲット金種として現行金種Ｄ２が指定された場合の出力信号波形は、点線で描かれた波形（最も上の波形）で表され、現行金種Ｄ２の１番目の識別基準情報Ａ１（Ｄ２）は、その波形の極小値の点Ａｋ２で与えられる。
【０２１１】
図１１の右側に示した波形図は、個体バラツキによって硬貨センサの感度が良好になっている場合の波形の変化を示している。この場合、１番目の追加金種Ｄ６の１番目の識別基準情報Ａ１（Ｄ６）の値Ａｘは、硬貨センサの感度向上に伴ってほとんど変化せず、図１１の左側に示した波形図での値Ａｘとほぼ同じである。これに対し、現行金種Ｄ１の１番目の識別基準情報Ａ１（Ｄ１）の値Ａｋ１は、少し下降しており、現行金種Ｄ２の１番目の識別基準情報Ａ１（Ｄ２）の値Ａｋ２は、少し上昇している。このため、現行金種Ｄ１の１番目の識別基準情報Ａ１（Ｄ１）の値Ａｋ１も、現行金種Ｄ２の１番目の識別基準情報Ａ１（Ｄ２）の値Ａｋ２も、ターゲット金種としては指定可能である。
【０２１２】
第３実施形態の算出法によれば、上述した第１実施形態及び第２実施形態の算出法よりも、個体バラツキに起因する硬貨センサ２０ａ、２０ｂ及び２０ｃの感度バラツキの影響を抑制することが可能である。これは、１番目の追加金種Ｄ６の１番目の識別基準情報Ａ１（Ｄ６）の値Ａｘを求める際に、その値Ａｘと現行金種Ｄ１の１番目の識別基準情報Ａ１（Ｄ１）の値Ａｋ１との差と、その値Ａｘと現行金種Ｄ２の１番目の識別基準情報Ａ１（Ｄ２）の値Ａｋ２との差を利用しているためである。つまり、これら２つの差は、感度バラツキがあっても同じように変動するので、値Ａｘと値Ａｋ１の差と、値Ａｘと値Ａｋ２の差の間に相違が生じにくいからである。
【０２１３】
第３実施形態においても、図１５に示したような形態で、パラメータ情報記憶部２０３ｆに、追加金種Ｄ６及びＤ７（金種番号６及び７）の識別基準情報の算出に使用される各種パラメータ情報を予め記憶させておけば、識別基準情報の算出はいっそう迅速に行えるようになる。また、図１５に示したように、複数の異なる算出法に使用されるパラメータ群を一括して保存しておくと、事情に応じて算出法を切り換えて使用することが可能となり、種々の事情に柔軟に対応できて、非常に便利である。
【０２１４】
（変形例）
上述した実施形態は、本発明を具体化した例を示すものである。したがって、本発明はこの実施形態に限定されるものではなく、本発明の趣旨を外れることなく種々の変形が可能であることは言うまでもない。
【０２１５】
例えば、上記実施形態では、第１硬貨センサ２０ａで硬貨３０の材質を、第２硬貨センサ２０ｂで硬貨３０の厚みを、第３硬貨センサ２０ｃで硬貨３０の直径を、それぞれ検出するようにしているが、本発明はこれには限定されない。これら硬貨センサの総数は必要に応じて、適宜変更することが可能である。例えば、識別対象となる硬貨３０の直径範囲が広い場合には、直径センサを複数個（複数対）使用することが必要となるが、これは材質範囲や厚み範囲が広い場合も同様である。また、硬貨３０の材質、厚み及び直径以外の特徴を検出したい場合は、その必要性に応じて第４硬貨センサ、第５硬貨センサ・・・というように、硬貨センサの総数が増加することになる。本発明はこれらのすべての場合を包含しており、硬貨センサの総数に制限はない。
【産業上の利用可能性】
【０２１６】
本発明の識別基準情報設定方法、識別基準情報設定システム及び識別基準情報設定プログラムは、通貨としての硬貨だけでなく、トークン及びメダル等の硬貨相当物に対しても適用可能である。
【符号の説明】
【０２１７】
１０  硬貨搬送路
２０ａ、２０ｂ、２０ｃ  硬貨センサ
２１ａ、２１ｂ、２１ｃ  硬貨センサのコイル
２２ａ、２２ｂ、２２ｃ  硬貨センサのコア
２３ａ、２３ｂ、２３ｃ  硬貨センサのカバー
３０  硬貨
１００  識別基準情報設定システム
１００Ａ  硬貨識別システム
１０１  状態判定部
１０２  ターゲット金種指定部
１０３  追加金種識別基準情報算出部
１０４  追加金種識別基準情報設定部
１０５  システム更新制御部
１１０  硬貨識別動作実行部
１１１  センサ情報取得部
１１２  固有情報抽出部
１１３  真贋識別部
１１４  金種識別部
１１５  動作モード切換部
２００  硬貨識別装置
２０１  タイミングセンサ
２０２  硬貨センサ部
２０３  記憶部
２０３ａ  記憶部のセンサ情報記憶部
２０３ｂ  記憶部の固有情報記憶部
２０３ｃ  記憶部の識別基準情報記憶部
２０３ｄ  記憶部の追加金種規範情報記憶部
２０３ｅ  記憶部のターゲット金種規範情報記憶部
２０３ｆ  記憶部のパラメータ情報記憶部
２０４  状態表示部
２０５  インターフェース（Ｉ／Ｆ）
２１０  制御部
３００  硬貨入出金装置
３０１  硬貨入金部
３０２  硬貨振分部
３０３  硬貨保留部
３０４  硬貨出金部
３０５、３０６  インターフェース（Ｉ／Ｆ）
３１０  制御部
【図１】
2020161138.tif 000003
【図２】
2020161138.tif 000004
【図３】
2020161138.tif 000005
【図４】
2020161138.tif 000006
【図５】
2020161138.tif 000007
【図６】
2020161138.tif 000008
【図７】
2020161138.tif 000009
【図８】
2020161138.tif 000010
【図９】
2020161138.tif 000011
【図１０】
2020161138.tif 000012
【図１１】
2020161138.tif 000013
【図１２】
2020161138.tif 000014
【図１３】
2020161138.tif 000015
【図１４】
2020161138.tif 000016
【図１５】
2020161138.tif 000017
【図１６】
2020161138.tif 000018